(57)【要約】  無線通信方法と装置とを提供し、当該方法は、第１の時間帯において、第１のネットワークデバイスは、端末デバイスより送信された第１の要求メッセージを受信することと、当該第１のネットワークデバイスは、当該第１の要求メッセージに基づいて、当該端末デバイスのコンテキスト情報を取得することと、当該第１のネットワークデバイスは、当該端末デバイスのコンテキスト情報に基づいて、当該端末デバイスのために無線ベアラを確立又は復元することとを含み、当該第１の要求メッセージが、当該端末デバイスのために無線ベアラを確立、又は復元するように当該第１のネットワークデバイスに要求するために用いられ、ここで、管理デバイスに当該端末デバイスのコンテキスト情報が記憶されており、当該端末デバイスのコンテキスト情報が、第２のネットワークデバイスにより当該管理デバイスに送信されたものであり、当該第２のネットワークデバイスが、当該第１の時間帯の前に最後の一つの、当該端末デバイスのコンテキスト情報を生成又は更新するネットワークデバイスであり、伝送リソースとシグナリングとのオーバーヘッドを低減し、ネットワーク構築のコストを削減することができる。
2019512903.tif 000002
【特許請求の範囲】
【請求項１】
無線通信方法であって、
第１の時間帯において、第１のネットワークデバイスは、端末デバイスより送信された第１の要求メッセージを受信することと、
前記第１のネットワークデバイスは、前記第１の要求メッセージに基づいて、前記端末デバイスのコンテキスト情報を取得することと、
前記第１のネットワークデバイスは、前記端末デバイスのコンテキスト情報に基づいて、前記端末デバイスのために無線ベアラを確立又は復元することと、
を含み、
前記第１の要求メッセージが、前記端末デバイスのために無線ベアラを確立、又は復元するように前記第１のネットワークデバイスに要求するために用いられ、
ここで、管理デバイスに前記端末デバイスのコンテキスト情報が記憶されており、前記端末デバイスのコンテキスト情報が第２のネットワークデバイスにより前記管理デバイスに送信されるものであり、前記第２のネットワークデバイスが、前記第１の時間帯の前に最後の一つの、前記端末デバイスのコンテキスト情報を生成又は更新するネットワークデバイスである、
ことを特徴とする無線通信方法。
【請求項２】
前記第１の要求メッセージは、無線リソース制御（ＲＲＣ）接続復元要求メッセージである、
ことを特徴とする請求項１に記載の無線通信方法。
【請求項３】
前記第１のネットワークデバイスが、前記第１の要求メッセージに基づいて、前記端末デバイスのコンテキスト情報を取得することは、
前記第１のネットワークデバイスは、前記第１の要求メッセージに基づいて、前記管理デバイスに第２の要求メッセージを送信することと、
前記第１のネットワークデバイスは、前記管理デバイスより送信される前記端末デバイスのコンテキスト情報を受信することと、
を含み、
前記第２の要求メッセージが、前記第１のネットワークデバイスに前記端末デバイスのコンテキスト情報を送信するように前記管理デバイスに要求するために用いられる、
ことを特徴とする請求項１又は２に記載の無線通信方法。
【請求項４】
前記管理デバイスに、前記端末デバイスのデバイス識別子と前記端末デバイスのコンテキスト情報とのマッピング関係が記憶されており、ここで、一つのデバイス識別子が一つの端末デバイスを一意的に示すために用いられ、
前記第１のネットワークデバイスが、前記第１の要求メッセージに基づいて、管理デバイスに第２の要求メッセージを送信することは、
前記第１のネットワークデバイスは、前記第１の要求メッセージに基づいて、前記管理デバイスに第２の要求メッセージを送信することを含み、前記第２の要求メッセージに前記端末デバイスのデバイス識別子が含まれる、
ことを特徴とする請求項３に記載の無線通信方法。
【請求項５】
前記第１のネットワークデバイスが、前記第１の要求メッセージに基づいて、管理デバイスに第２の要求メッセージを送信する前に、前記無線通信方法は、
前記第１のネットワークデバイスは、前記端末デバイスより送信された第１の指示情報を受信することと、
前記第１のネットワークデバイスは、前記第１の指示情報に基づいて、第３のネットワークデバイスが前記第１のネットワークデバイスと異なるネットワークデバイスであることを確定することと、又は、
前記第１のネットワークデバイスは、前記第１の指示情報に基づいて、第１のセルが前記第１のネットワークデバイスの管轄セルではないことを確定することと、
をさらに含み、
前記第１の指示情報が前記第３のネットワークデバイスを示すために用いられ、又は、前記第１の指示情報が前記第１のセルを示すために用いられ、又は、前記第１の指示情報が、前記第３のネットワークデバイスが前記第１のネットワークデバイスと同じであるか否かを示すために用いられ、又は、前記第１の指示情報が、前記第１のセルが前記第１のネットワークデバイスの管轄セルに属しているか否かを示すために用いられ、ここで、前記第３のネットワークデバイスが、前記第１の時間帯の前に最後の一つの、前記端末デバイスとデータ伝送を行うネットワークデバイスであり、前記第１のセルが、前記端末デバイスが前記第１の時間帯の前に最後の１回にデータ伝送に使用するセルである、
ことを特徴とする請求項３又は４に記載の無線通信方法。
【請求項６】
前記第１のネットワークデバイスが、前記管理デバイスより送信される前記端末デバイスのコンテキスト情報を受信する前に、前記方法は、
前記第１のネットワークデバイスは、前記管理デバイスより送信された第２の指示情報を受信することと、
前記第１のネットワークデバイスは、前記第２の指示情報に基づいて、前記第２のネットワークデバイスが前記第１のネットワークデバイスと異なるネットワークデバイスであることを確定することと、
を含み、
前記第２の指示情報が、前記第２のネットワークデバイスを示すために用いられ、又は、前記第２の指示情報が、前記第２のネットワークデバイスが前記第１のネットワークデバイスと同じであるか否かを示すために用いられる、
ことを特徴とする請求項３乃至５のいずれか１項に記載の無線通信方法。
【請求項７】
第２の時間帯において、前記第１のネットワークデバイスは、前記端末デバイスのコンテキスト情報を生成又は更新し、前記第２の時間帯が前記第１の時間帯の前であり、
前記第１のネットワークデバイスは、前記端末デバイスのコンテキスト情報を記憶する、
ことを特徴とする請求項１又は２に記載の無線通信方法。
【請求項８】
前記第１のネットワークデバイスは、前記端末デバイスより送信された第１の指示情報を受信することをさらに含み、
前記第１の指示情報が第３のネットワークデバイスを示すために用いられ、又は、前記第１の指示情報が第１のセルを示すために用いられ、又は、前記第１の指示情報が、第３のネットワークデバイスが前記第１のネットワークデバイスと同じであるか否かを示すために用いられ、又は、前記第１の指示情報が、第１のセルが前記第１のネットワークデバイスの管轄セルに属しているか否かを示すために用いられ、ここで、前記第３のネットワークデバイスが、前記第１の時間帯の前に最後の一つの、前記端末デバイスとデータ伝送を行うネットワークデバイスであり、前記第１のセルが、前記端末デバイスが前記第１の時間帯の前に最後の１回にデータ伝送に使用するセルであり、
前記第１のネットワークデバイスが、前記第１の要求メッセージに基づいて、前記端末デバイスのコンテキスト情報を取得することは、
前記第１のネットワークデバイスが、前記第１の指示情報に基づいて、前記第３のネットワークデバイスが前記第１のネットワークデバイスと同じネットワークデバイスであることを確定した場合、前記第１のネットワークデバイスに記憶された前記端末デバイスのコンテキスト情報を取得すること、又は、
前記第１のネットワークデバイスは、前記第１の指示情報に基づいて、前記第１のセルが前記第１のネットワークデバイスの管轄セルに属していることを確定した場合、前記第１のネットワークデバイスに記憶された前記端末デバイスのコンテキスト情報を取得すること、を含む、
ことを特徴とする請求項７に記載の無線通信方法。
【請求項９】
管理デバイスに前記端末デバイスのコンテキスト情報が記憶されており、前記端末デバイスのコンテキスト情報が第２のネットワークデバイスにより前記管理デバイスに送信されるものであり、前記第２のネットワークデバイスが、前記第１の時間帯の前に最後の一つの、前記端末デバイスのコンテキスト情報を生成又は更新するネットワークデバイスであり、
前記第１のネットワークデバイスは、前記第１の要求メッセージに基づいて、前記端末デバイスのコンテキスト情報を取得することは、
前記第１のネットワークデバイスは、前記管理デバイスより送信された第２の指示情報を受信することと、
前記第１のネットワークデバイスは、前記第２の指示情報に基づいて、前記第２のネットワークデバイスが前記第１のネットワークデバイスと同じネットワークデバイスであることを確定した場合、前記第１のネットワークデバイスに記憶された前記端末デバイスのコンテキスト情報を取得することと、
を含み、
前記第２の指示情報が、前記第２のネットワークデバイスを示すために用いられ、又は、前記第２の指示情報が、前記第２のネットワークデバイスが前記第１のネットワークデバイスと同じであるか否かを示すために用いられる、
ことを特徴とする請求項７又は８に記載の無線通信方法。
【請求項１０】
第３の時間帯において、前記第１のネットワークデバイスは、前記端末デバイスのコンテキスト情報を更新することと、
前記第１のネットワークデバイスは、管理デバイスに更新後の前記端末デバイスのコンテキスト情報を送信することと、
をさらに含み、
前記第３の時間帯が前記第１の時間帯の後である、
ことを特徴とする請求項１乃至９のいずれか１項に記載の無線通信方法。
【請求項１１】
無線通信方法であって、
管理デバイスは、第２のネットワークデバイスより送信された端末デバイスのコンテキスト情報を受信することと、
前記管理デバイスは、第１のネットワークデバイスより送信された第２の要求メッセージを受信することと、
前記管理デバイスは、前記第２の要求メッセージに基づいて、前記第１のネットワークデバイスに前記端末デバイスのコンテキスト情報を送信することと、
を含み、
前記第２のネットワークデバイスが、第１の時間帯の前に最後の一つの、前記端末デバイスのコンテキスト情報を生成又は更新するネットワークデバイスであり、
前記第２の要求メッセージが、前記第１のネットワークデバイスに前記端末デバイスのコンテキスト情報を送信するように前記管理デバイスに要求するために用いられ、前記第２の要求メッセージが、前記第１のネットワークデバイスが前記第１の時間帯において受信された端末デバイスより送信された第１の要求メッセージに基づいて送信されたものであり、前記第１の要求メッセージが、前記端末デバイスのために無線ベアラを確立、又は復元するように前記第１のネットワークデバイスに要求するために用いられる、
ことを特徴とする無線通信方法。
【請求項１２】
前記管理デバイスが、第２のネットワークデバイスより送信された端末デバイスのコンテキスト情報を受信することは、
前記管理デバイスは、第２のネットワークデバイスより送信された端末デバイスのコンテキスト情報と前記端末デバイスのデバイス識別子とを受信することと、
前記管理デバイスは、端末デバイスのデバイス識別子と前記端末デバイスのコンテキスト情報とのマッピング関係の指示情報を記憶することと、
を含み、ここで、一つのデバイス識別子が一つの端末デバイスを一意的に示すために用いられ、
前記管理デバイスが、第１のネットワークデバイスより送信された第２の要求メッセージを受信することは、
前記管理デバイスは、第１のネットワークデバイスより送信された第２の要求メッセージを受信することを含み、前記第２の要求メッセージに前記端末デバイスのデバイス識別子が含まれ、
前記管理デバイスが、前記第２の要求メッセージに基づいて、前記第１のネットワークデバイスに前記端末デバイスのコンテキスト情報を送信する前に、前記無線通信方法は、
前記管理デバイスは、第２の要求メッセージに含まれる前記端末デバイスのデバイス識別子に基づいて、前記管理デバイスが記憶されている端末デバイスのデバイス識別子と前記端末デバイスのコンテキスト情報とのマッピング関係の指示情報によって、前記端末デバイスのコンテキスト情報を確定することをさらに含む、
ことを特徴とする請求項１１に記載の無線通信方法。
【請求項１３】
前記管理デバイスが、前記第２の要求メッセージに基づいて、前記第１のネットワークデバイスに前記端末デバイスのコンテキスト情報を送信する前に、前記無線通信方法は、
前記管理デバイスは、前記第１のネットワークデバイスに第２の指示情報を送信することをさらに含み、
前記第２の指示情報が、前記第２のネットワークデバイスを示すために用いられ、又は、前記第２の指示情報が、前記第２のネットワークデバイスが前記第１のネットワークデバイスと同じであるか否かを示すために用いられる、
ことを特徴とする請求項１１又は１２に記載の無線通信方法。
【請求項１４】
前記管理デバイスは、前記第１のネットワークデバイスより送信された更新後の前記端末デバイスのコンテキスト情報を受信することをさらに含む、
ことを特徴とする請求項１１乃至１３のいずれか１項に記載の無線通信方法。
【請求項１５】
無線通信方法であって、
第２のネットワークデバイスは、端末デバイスのコンテキスト情報を生成又は更新することと、
前記第２のネットワークデバイスは、管理デバイスに前記端末デバイスのコンテキスト情報を送信することと、
ことを特徴とする無線通信方法。
【請求項１６】
前記第２のネットワークデバイスが、管理デバイスに前記端末デバイスのコンテキスト情報を送信することは、
前記第２のネットワークデバイスは、前記管理デバイスに前記端末デバイスのコンテキスト情報と前記端末デバイスのデバイス識別子とを送信すること、を含み、
ここで、一つのデバイス識別子が一つの端末デバイスを一意的に示すために用いられる、
ことを特徴とする請求項１５に記載の無線通信方法。
【請求項１７】
無線通信方法であって、
第１のネットワークデバイスが、第１の要求メッセージに基づいて、端末デバイスのコンテキスト情報を取得することができるように、第１の時間帯において、前記端末デバイスは前記第１のネットワークデバイスに前記第１の要求メッセージを送信すること、を含み、
前記第１の要求メッセージが、前記端末デバイスのために無線ベアラを確立、又は復元するように前記第１のネットワークデバイスに要求するために用いられ、ここで、管理デバイスに前記端末デバイスのコンテキスト情報が記憶されており、前記端末デバイスのコンテキスト情報が第２のネットワークデバイスにより前記管理デバイスに送信されるものであり、前記第２のネットワークデバイスが、前記第１の時間帯の前に最後の一つの、前記端末デバイスのコンテキスト情報を生成又は更新するネットワークデバイスである、
ことを特徴とする無線通信方法。
【請求項１８】
前記端末デバイスは、前記第１のネットワークデバイスに第１の指示情報を送信することをさらに含み、
前記第１の指示情報が第３のネットワークデバイスを示すために用いられ、又は、前記第１の指示情報が第１のセルを示すために用いられ、又は、前記第１の指示情報が、第３のネットワークデバイスが前記第１のネットワークデバイスと同じであるか否かを示すために用いられ、又は、前記第１の指示情報が、第１のセルが前記第１のネットワークデバイスの管轄セルに属しているか否かを示すために用いられ、ここで、前記第３のネットワークデバイスが、前記第１の時間帯の前に最後の一つの、前記端末デバイスとデータ伝送を行うネットワークデバイスであり、前記第１のセルが、前記端末デバイスが前記第１の時間帯の前に最後の１回にデータ伝送に使用するセルである、
ことを特徴とする請求項１７に記載の無線通信方法。
【請求項１９】
無線通信装置であって、
第１の時間帯において、端末デバイスより送信された第１の要求メッセージを受信するように構成される通信ユニットと、
前記第１の要求メッセージに基づいて、前記端末デバイスのコンテキスト情報を取得するように構成される取得ユニットと、
前記端末デバイスのコンテキスト情報に基づいて、前記端末デバイスのために無線ベアラを確立又は復元するように構成される処理ユニットと、
を含み、
前記第１の要求メッセージが、前記端末デバイスのために無線ベアラを確立又は復元するように前記装置に要求するために用いられ、
ここで、管理デバイスに前記端末デバイスのコンテキスト情報が記憶されており、前記端末デバイスのコンテキスト情報が第２のネットワークデバイスにより前記管理デバイスに送信されるものであり、前記第２のネットワークデバイスが、前記第１の時間帯の前に最後の一つの、前記端末デバイスのコンテキスト情報を生成又は更新するネットワークデバイスである、
ことを特徴とする無線通信装置。
【請求項２０】
前記第１の要求メッセージは、無線リソース制御（ＲＲＣ）接続復元要求メッセージである、
ことを特徴とする請求項１９に記載の無線通信装置。
【請求項２１】
前記取得ユニットは、具体的に、前記第１の要求メッセージに基づいて、前記管理デバイスに第２の要求メッセージを送信するように前記通信ユニットを制御し、
前記管理デバイスより送信される前記端末デバイスのコンテキスト情報を受信するように前記通信ユニットを制御するように構成され、
前記第２の要求メッセージが、前記装置に前記端末デバイスのコンテキスト情報を送信するように前記管理デバイスに要求するために用いられる、
ことを特徴とする請求項１９又は２０に記載の無線通信装置。
【請求項２２】
前記管理デバイスに、前記端末デバイスのデバイス識別子と前記端末デバイスのコンテキスト情報とのマッピング関係が記憶されており、ここで、一つのデバイス識別子が一つの端末デバイスを一意的に示すために用いられ、
前記取得ユニットは、具体的に、前記第１の要求メッセージに基づいて、前記管理デバイスに第２の要求メッセージを送信するように前記通信ユニットを制御するように構成され、前記第２の要求メッセージに前記端末デバイスのデバイス識別子が含まれる、
ことを特徴とする請求項２１に記載の無線通信装置。
【請求項２３】
前記通信ユニットは、前記端末デバイスより送信された第１の指示情報を受信するようにさらに構成され、前記第１の指示情報が第３のネットワークデバイスを示すために用いられ、又は、前記第１の指示情報が第１のセルを示すために用いられ、又は、前記第１の指示情報が、第３のネットワークデバイスが前記装置と同じであるか否かを示すために用いられ、又は、前記第１の指示情報が、第１のセルが前記装置の管轄セルに属するか否かを示すために用いられ、ここで、前記第３のネットワークデバイスが、前記第１の時間帯の前に最後の一つの、前記端末デバイスとデータ伝送を行うネットワークデバイスであり、前記第１のセルが、前記端末デバイスが前記第１の時間帯の前に最後の１回にデータ伝送に使用するセルであり、
前記取得ユニットは、前記第１の指示情報に基づいて、前記第３のネットワークデバイスが前記装置と異なるネットワークデバイスであることを確定するようにさらに構成され、又は、
前記取得ユニットは、前記第１の指示情報に基づいて、前記第１のセルが前記装置の管轄セルに属していないことを確定するようにさらに構成される、
ことを特徴とする請求項２１又は２２に記載の無線通信装置。
【請求項２４】
前記通信ユニットは、前記管理デバイスより送信された第２の指示情報を受信するようにさらに構成され、前記第２の指示情報が、前記第２のネットワークデバイスを示すために用いられ、又は、前記第２の指示情報が、前記第２のネットワークデバイスが前記装置と同じであるか否かを示すために用いられ、
前記取得ユニットは、前記第２の指示情報に基づいて、前記第２のネットワークデバイスが前記装置と異なるネットワークデバイスであることを確定するようにさらに構成される、
ことを特徴とする請求項２１乃至２３のいずれか１項に記載の無線通信装置。
【請求項２５】
前記処理ユニットは、第２の時間帯において、前記端末デバイスのコンテキスト情報を生成又は更新するようにさらに構成され、前記第２の時間帯が前記第１の時間帯の前であり、
前記装置は、
前記端末デバイスのコンテキスト情報を記憶するように構成される記憶ユニットをさらに含む、
ことを特徴とする請求項１９又は２０に記載の無線通信装置。
【請求項２６】
前記通信ユニットは、前記端末デバイスより送信された第１の指示情報を受信するようにさらに構成され、前記第１の指示情報が第３のネットワークデバイスを示すために用いられ、又は、前記第１の指示情報が第１のセルを示すために用いられ、又は、前記第１の指示情報が、第３のネットワークデバイスが前記装置と同じであるか否かを示すために用いられ、又は、前記第１の指示情報が、第１のセルが前記装置の管轄セルに属しているか否かを示すために用いられ、ここで、前記第３のネットワークデバイスが、前記第１の時間帯の前に最後の一つの、前記端末デバイスとデータ伝送を行うネットワークデバイスであり、前記第１のセルが、前記端末デバイスが前記第１の時間帯の前に最後の１回にデータ伝送に使用するセルであり、
前記取得ユニットは、具体的に、前記第１の指示情報に基づいて、前記第３のネットワークデバイスが前記装置と同じネットワークデバイスであることを確定した場合、前記記憶ユニットから前記端末デバイスのコンテキスト情報を取得するように構成され、又は、
前記取得ユニットは、具体的に、前記第１の指示情報に基づいて、前記第１のセルが前記装置の管轄セルに属していることを確定した場合、前記記憶ユニットから前記端末デバイスのコンテキスト情報を取得するように構成される、
ことを特徴とする請求項２５に記載の無線通信装置。
【請求項２７】
管理デバイスに前記端末デバイスのコンテキスト情報が記憶されており、前記端末デバイスのコンテキスト情報が第２のネットワークデバイスにより前記管理デバイスに送信されるものであり、前記第２のネットワークデバイスが、前記第１の時間帯の前に最後の一つの、前記端末デバイスのコンテキスト情報を生成又は更新するネットワークデバイスであり、
前記通信ユニットは、前記管理デバイスより送信された第２の指示情報を受信するようにさらに構成され、前記第２の指示情報が、前記第２のネットワークデバイスを示すために用いられ、又は、前記第２の指示情報が、前記第２のネットワークデバイスが前記装置と同じであるか否かをを示すために用いられ、
前記取得ユニットは、具体的に、前記第２の指示情報に基づいて、前記第２のネットワークデバイスが前記装置と同じネットワークデバイスであることを確定した場合、前記記憶ユニットから前記端末デバイスのコンテキスト情報を取得するように構成される、
ことを特徴とする請求項２５又は２６に記載の無線通信装置。
【請求項２８】
前記処理ユニットは、第３の時間帯において、前記端末デバイスのコンテキスト情報を更新するようにさらに構成され、前記第３の時間帯が前記第１の時間帯の後であり、
前記通信ユニットは、管理デバイスに更新後の前記端末デバイスのコンテキスト情報を送信するようにさらに構成される、
ことを特徴とする請求項１９乃至２７のいずれか１項に記載の無線通信装置。
【請求項２９】
無線通信装置であって、受信ユニットと送信ユニットとを含み、
受信ユニットは、第２のネットワークデバイスより送信された端末デバイスのコンテキスト情報を受信するように構成され、前記第２のネットワークデバイスが、第１の時間帯の前に最後の一つの、前記端末デバイスのコンテキスト情報を生成又は更新するネットワークデバイスであり、
前記受信ユニットは、第１のネットワークデバイスより送信された第２の要求メッセージを受信するようにさらに構成され、前記第２の要求メッセージが、当該第１のネットワークデバイスに前記端末デバイスのコンテキスト情報を送信するように前記装置に要求するために用いられ、前記第２の要求メッセージが、前記第１のネットワークデバイスが前記第１の時間帯において受信された端末デバイスより送信された第１の要求メッセージに基づいて送信されたものであり、前記第１の要求メッセージが、前記端末デバイスのために無線ベアラを確立、又は復元するように前記第１のネットワークデバイスに要求するために用いられ、
送信ユニットは、前記第２の要求メッセージに基づいて、前記第１のネットワークデバイスに前記端末デバイスのコンテキスト情報を送信するように構成される、
ことを特徴とする無線通信装置。
【請求項３０】
前記受信ユニットは、具体的に、第２のネットワークデバイスより送信された端末デバイスのコンテキスト情報と前記端末デバイスのデバイス識別子とを受信するように構成され、ここで、一つのデバイス識別子が一つの端末デバイスを一意的に示すために用いられ、
前記装置は、
端末デバイスのデバイス識別子と前記端末デバイスのコンテキスト情報とのマッピング関係の指示情報を記憶するように構成される記憶ユニットをさらに含み、
前記受信ユニットは、具体的に、第１のネットワークデバイスより送信された第２の要求メッセージを受信するように構成され、前記第２の要求メッセージに前記端末デバイスのデバイス識別子が含まれ、
前記装置は、
第２の要求メッセージに含まれる前記端末デバイスのデバイス識別子基づいて、前記装置に記憶されている端末デバイスのデバイス識別子と前記端末デバイスのコンテキスト情報とのマッピング関係の指示情報によって、前記端末デバイスのコンテキスト情報を確定するように構成される確定ユニットをさらに含む、
ことを特徴とする請求項２９に記載の無線通信装置。
【請求項３１】
前記送信ユニットは、前記第１のネットワークデバイスに第２の指示情報を送信するようにさらに構成され、前記第２の指示情報が、前記第２のネットワークデバイスを示すために用いられ、又は、前記第２の指示情報が、前記第２のネットワークデバイスが前記第１のネットワークデバイスと同じであるか否かを示すために用いられる、
ことを特徴とする請求項２９又は３０に記載の無線通信装置。
【請求項３２】
前記受信ユニットは、前記第１のネットワークデバイスより送信された更新後の前記端末デバイスのコンテキスト情報を受信するようにさらに構成される、
ことを特徴とする請求項２９乃至３１のいずれか１項に記載の無線通信装置。
【請求項３３】
無線通信装置であって、
前記端末デバイスのコンテキスト情報を生成又は更新するために、端末デバイスとネゴシエーション処理を行うように構成される処理ユニットと、
管理デバイスに前記端末デバイスのコンテキスト情報を送信するように構成される送信ユニットと、
を含む、
ことを特徴とする無線通信装置。
【請求項３４】
前記送信ユニットは、具体的に、前記管理デバイスに前記端末デバイスのコンテキスト情報と前記端末デバイスのデバイス識別子とを送信するように構成され、ここで、一つのデバイス識別子が一つの端末デバイスを一意的に示すために用いられる、
ことを特徴とする請求項３３に記載の無線通信装置。
【請求項３５】
無線通信装置であって、
前記第１のネットワークデバイスが、前記第１の要求メッセージに基づいて、前記装置のコンテキスト情報を取得することができるように、第１の時間帯において、第１のネットワークデバイスに第１の要求メッセージを送信するように構成される送信ユニット、を含み、
前記第１の要求メッセージが、前記装置のために、無線ベアラを確定又は復元するように前記第１のネットワークデバイスに要求するために用いられ、ここで、管理デバイスに前記装置のコンテキスト情報が記憶されており、前記装置のコンテキスト情報が第２のネットワークデバイスにより前記管理デバイスに送信されるものであり、前記第２のネットワークデバイスが、前記第１の時間帯の前に最後の一つの、前記装置のコンテキスト情報を生成又は更新するネットワークデバイスである、
ことを特徴とする無線通信装置。
【請求項３６】
前記送信ユニットは、前記第１のネットワークデバイスに第１の指示情報を送信するようにさらに構成され、
前記第１の指示情報が第３のネットワークデバイスを示すために用いられ、又は、前記第１の指示情報が第１のセルを示すために用いられ、又は、前記第１の指示情報が、第３のネットワークデバイスが前記第１のネットワークデバイスと同じであるか否かを示すために用いられ、又は、前記第１の指示情報が、第１のセルが前記第１のネットワークデバイスの管轄セルに属しているか否かを示すために用いられ、ここで、前記第３のネットワークデバイスが、前記第１の時間帯の前に最後の一つの、前記装置とデータ伝送するネットワークデバイスであり、前記第１のセルが、前記装置が前記第１の時間帯の前に最後の１回にデータ伝送するのに使用するセルである、
ことを特徴とする請求項３５に記載の無線通信装置。
【発明の詳細な説明】
【技術分野】
【０００１】
本発明は通信分野に関し、特に無線通信方法、及び装置に関する。
【背景技術】
【０００２】
現在、従来の通信技術において、端末デバイスが１つの基地局（例えば、ソース基地局）のサービス範囲から別の基地局（例えば、ターゲット基地局）のサービス範囲に移動した場合、端末デバイスの正常な通信を確保するために、基地局間のハンドオーバーが必要であり、例えば、ソース基地局は、ソース基地局とターゲット基地局との間の通信リンク（例えば、Ｘ２リンク、又は、Ｘ２インターフェースとも言う）を介して、ターゲット基地局にハンドオーバー要求を送信し、ターゲット基地局からのフィードバックを得てから（即ち、ターゲット基地局がハンドオーバーの準備をした後）、端末デバイスにハンドオーバー命令を送信し、ターゲット基地局に、データパケットキャッシュ、データパケットキャッシュ番号等の情報（例えば、コンテキスト情報）を含むメッセージを送信する。端末デバイスのサービスをターゲット基地局に移行し、ユーザプレーンと制御プレーンとのノード関係を更新することをコアネットワークに通知するために、端末デバイスがターゲット基地局にアクセスできてから、ターゲット基地局は、コアネットワークに経路変更要求を送信し、それで基地局間のハンドオーバーを完了する。
【０００３】
しかし、上記の過程は、ソース基地局とターゲット基地局との間に通信リンクを構成する必要があり、しかも、ソース基地局とターゲット基地局との間で大量のシグナリング通信が必要であり、伝送リソースとシグナリングとのオーバーヘッド、及びネットワーク構築のコストが増加される。
【発明の概要】
【０００４】
本発明は、無線通信方法及び装置を提供し、伝送リソースとシグナリングとのオーバーヘッドを低減し、ネットワーク構築のコストを削減することができる。
【０００５】
第１の態様において、無線通信方法を提供し、当該方法は、
第１の時間帯において、第１のネットワークデバイスは、端末デバイスより送信された第１の要求メッセージを受信することと、
当該第１のネットワークデバイスは、当該第１の要求メッセージに基づいて、当該端末デバイスのコンテキスト情報を取得することと、
当該第１のネットワークデバイスは、当該端末デバイスのコンテキスト情報に基づいて、当該端末デバイスのために無線ベアラを確立又は復元することと、
を含み、
当該第１の要求メッセージが、当該端末デバイスのために無線ベアラを確立、又は復元するように当該第１のネットワークデバイスに要求するために用いられ、
管理デバイスに当該端末デバイスのコンテキスト情報が記憶されており、当該端末デバイスのコンテキスト情報が、第２のネットワークデバイスにより当該管理デバイスに送信されたものであり、当該第２のネットワークデバイスが、当該第１の時間帯の前に最後の一つの、当該端末デバイスのコンテキスト情報を生成又は更新するネットワークデバイスである。
【０００６】
第１の態様を結合し、第１の態様の第１の実現形態において、当該第１の要求メッセージは、無線リソース制御（ＲＲＣ）接続復元要求メッセージである。
【０００７】
第１の態様及びそれの上記の実現形態を結合し、第１の態様の第２の実現形態において、当該第１のネットワークデバイスは、当該第１の要求メッセージに基づいて、当該端末デバイスのコンテキスト情報を取得することは、
当該第１のネットワークデバイスは、当該第１の要求メッセージに基づいて、当該管理デバイスに第２の要求メッセージを送信することと、
当該第１のネットワークデバイスは、当該管理デバイスより送信された当該端末デバイスのコンテキスト情報を受信することと、
を含み、当該第２の要求メッセージが、当該第１のネットワークデバイスに当該端末デバイスのコンテキスト情報を送信するように当該管理デバイスに要求するために用いられる。
【０００８】
第１の態様及びそれの上記の実現形態を結合し、第１の態様の第３の実現形態において、当該管理デバイスに、当該端末デバイスのデバイス識別子と当該端末デバイスのコンテキスト情報とのマッピング関係が記憶されており、ここで、一つのデバイス識別子が一つの端末デバイスを一意的に示すために用いられ、また、当該第１のネットワークデバイスが当該第１の要求メッセージに基づいて、管理デバイスに第２の要求メッセージを送信することは、当該第１のネットワークデバイスは、当該第１の要求メッセージに基づいて、当該管理デバイスに第２の要求メッセージを送信することを含み、当該第２の要求メッセージに当該端末デバイスのデバイス識別子が含まれる。
【０００９】
第１の態様及びそれの上記の実現形態を結合し、第１の態様の第４の実現形態において、当該第１のネットワークデバイスが当該第１の要求メッセージに基づいて、管理デバイスに第２の要求メッセージを送信する前に、当該方法は、
当該第１のネットワークデバイスは、当該端末デバイスより送信された第１の指示情報を受信することと、
当該第１のネットワークデバイスは、当該第１の指示情報に基づいて、第３のネットワークデバイスが当該第１のネットワークデバイスと異なるネットワークデバイスであることを確定すること、又は、当該第１のネットワークデバイスは、第１の指示情報に基づいて、当該第１のセルが当該第１のネットワークデバイスの管轄セルではないことを確定することと、
さらに含み、
当該第１の指示情報が当該第３のネットワークデバイスを示すために用いられ、又は、当該第１の指示情報が当該第１のセルを示すために用いられ、又は当該第１の指示情報が、第３のネットワークデバイスが当該第１のネットワークデバイスと同じであるか否かを示すために用いられ、又は当該第１の指示情報が、第１のセルが当該第１のネットワークデバイスの管轄セルに属しているか否かを示すために用いられ、ここで、当該第３のネットワークデバイスが、当該第１の時間帯の前に最後の一つの、当該端末デバイスとデータ伝送を行うネットワークデバイスであり、当該第１のセルが、当該端末デバイスが当該第１の時間帯の前に最後の１回にデータ伝送に使用するセルである。
【００１０】
第１の態様及びそれの上記の実現形態を結合し、第１の態様の第５の実現形態において、当該第１のネットワークデバイスが、当該管理デバイスより送信された当該端末デバイスのコンテキスト情報を受信する前に、当該方法は、
当該第１のネットワークデバイスは、当該管理デバイスより送信された第２の指示情報を受信することと、
当該第１のネットワークデバイスは、当該第２の指示情報に基づいて、当該第２のネットワークデバイスが当該第１のネットワークデバイスと異なるネットワークデバイスであることを確定することと、
をさらに含み、
当該第２の指示情報が、当該第２のネットワークデバイスを示すために用いられ、又は、当該第２の指示情報が、当該第２のネットワークデバイスが当該第１のネットワークデバイスと同じであるか否かを示すために用いられる。
【００１１】
第１の態様及びそれの上記の実現形態を結合し、第１の態様の第６の実現形態において、当該方法は、
第２の時間帯において、当該第１のネットワークデバイスは、当該端末デバイスのコンテキスト情報を生成又は更新することと、
当該第１のネットワークデバイスは、当該端末デバイスのコンテキスト情報を記憶することと、
をさらに含み、当該第２の時間帯が当該第１の時間帯の前である。
【００１２】
第１の態様及びそれの上記の実現形態を結合し、第１の態様の第７の実現形態において、当該方法は
当該第１のネットワークデバイスは、当該端末デバイスより送信された第１の指示情報を受信すること、
をさらに含み、当該第１の指示情報が第３のネットワークデバイスを示すために用いられ、又は、当該第１の指示情報が第１のセルを示すために用いられ、又は当該第１の指示情報が、第３のネットワークデバイスが当該第１のネットワークデバイスと同じであるか否かを示すために用いられ、又は当該第１の指示情報が、第１のセルが当該第１のネットワークデバイスの管轄セルに属しているか否かを示すために用いられ、ここで、当該第３のネットワークデバイスが、当該第１の時間帯の前に最後の一つの、当該端末デバイスとデータ伝送を行うネットワークデバイスであり、当該第１のセルが、当該端末デバイスが当該第１の時間帯の前に最後の１回にデータ伝送に使用するセルであり、
また、当該第１のネットワークデバイスは、当該第１の要求メッセージに基づいて、当該端末デバイスのコンテキスト情報を取得することは、
当該第１のネットワークデバイスが、当該第１の指示情報に基づいて、当該第３のネットワークデバイスが当該第１のネットワークデバイスと同じネットワークデバイスであることを確定した場合、当該第１のネットワークデバイスに記憶された当該端末デバイスのコンテキスト情報を取得すること、又は
当該第１のネットワークデバイスは、当該第１の指示情報に基づいて、当該第１のセルが当該第１のネットワークデバイスの管轄セルに属していることを確定した場合、当該第１のネットワークデバイスに記憶された当該端末デバイスのコンテキスト情報を取得すること、
を含む。
【００１３】
第１の態様及びそれの上記の実現形態を結合し、第１の態様の第８の実現形態において、管理デバイスに当該端末デバイスのコンテキスト情報が記憶されており、当該端末デバイスのコンテキスト情報が、第２のネットワークデバイスにより当該管理デバイスに送信されたものであり、当該第２のネットワークデバイスが、当該第１の時間帯の前に最後の一つの、当該端末デバイスのコンテキスト情報を生成又は更新するネットワークデバイスであり、また、当該第１のネットワークデバイスが、当該第１の要求メッセージに基づいて、当該端末デバイスのコンテキスト情報を取得することは、
当該第１のネットワークデバイスは、当該管理デバイスより送信された第２の指示情報を受信することと、
当該第１のネットワークデバイスが、当該第２の指示情報に基づいて、当該第２のネットワークデバイスが当該第１のネットワークデバイスと同じネットワークデバイスであることを確定した場合、当該第１のネットワークデバイスに記憶された当該端末デバイスのコンテキスト情報を取得することと、
を含み、
当該第２の指示情報が、当該第２のネットワークデバイスを示すために用いられ、又は、当該第２の指示情報が、当該第２のネットワークデバイスが当該第１のネットワークデバイスと同じであるか否かを示すために用いられる。
【００１４】
第１の態様及びそれの上記の実現形態を結合し、第１の態様の第９の実現形態において、当該方法は、
第３の時間帯において、当該第１のネットワークデバイスは、当該端末デバイスのコンテキスト情報を更新することと、
当該第１のネットワークデバイスは、管理デバイスに更新後の当該端末デバイスのコンテキスト情報を送信することと、
をさらに含み、当該第３の時間帯が当該第１の時間帯の後である。
【００１５】
第２の態様において、無線通信方法を提供し、当該方法は、
管理デバイスは、第２のネットワークデバイスより送信された端末デバイスのコンテキスト情報を受信することと、
当該管理デバイスは、第１のネットワークデバイスより送信された第２の要求メッセージを受信することと、
当該管理デバイスは、当該第２の要求メッセージに基づいて、当該第１のネットワークデバイスに当該端末デバイスのコンテキスト情報を送信することと、
を含み、
当該第２のネットワークデバイスが、第１の時間帯の前に最後の一つの、当該端末デバイスのコンテキスト情報を生成又は更新するネットワークデバイスであり、
当該第２の要求メッセージが、当該第１のネットワークデバイスに当該端末デバイスのコンテキスト情報を送信するように当該管理デバイスに要求するために用いられ、当該第２の要求メッセージが、当該第１のネットワークデバイスが当該第１の時間帯において受信された端末デバイスより送信された第１の要求メッセージに基づいて送信されたものであり、当該第１の要求メッセージが、当該端末デバイスのために無線ベアラを確立、又は復元するように当該第１のネットワークデバイスに要求するために用いられる。
【００１６】
第２の態様を結合し、第２の態様の第１の実現形態において、当該管理デバイスが、第２のネットワークデバイスより送信された端末デバイスのコンテキスト情報を受信することは、
当該管理デバイスは、第２のネットワークデバイスより送信された端末デバイスのコンテキスト情報と当該端末デバイスのデバイス識別子とを受信することと、
当該管理デバイスは、端末デバイスのデバイス識別子と当該端末デバイスのコンテキスト情報とのマッピング関係の指示情報を記憶することと、
を含み、ここで、一つのデバイス識別子が一つの端末デバイスを一意的に示すために用いられ、
当該管理デバイスが、第１のネットワークデバイスより送信された第２の要求メッセージを受信することは、
当該管理デバイスは、第１のネットワークデバイスより送信された第２の要求メッセージを受信すること、
を含み、当該第２の要求メッセージに当該端末デバイスのデバイス識別子が含まれ、
また、当該管理デバイスは、当該第２の要求メッセージに基づいて、当該第１のネットワークデバイスに当該端末デバイスのコンテキスト情報を送信する前に、当該方法は、
当該管理デバイスは、第２の要求メッセージに含まれる当該端末デバイスのデバイス識別子に基づいて、当該管理デバイスが記憶されている端末デバイスのデバイス識別子と当該端末デバイスのコンテキスト情報とのマッピング関係の指示情報によって、当該端末デバイスのコンテキスト情報を確定すること、
をさらに含む。
【００１７】
第２の態様及びそれの上記の実現形態を結合し、第２の態様の第２の実現形態において、当該管理デバイスが、当該第２の要求メッセージに基づいて、当該第１のネットワークデバイスに当該端末デバイスのコンテキスト情報を送信する前に、当該方法は、当該管理デバイスは、当該第１のネットワークデバイスに第２の指示情報を送信すること、をさらに含み、当該第２の指示情報が、当該第２のネットワークデバイスを示すために用いられ、又は、当該第２の指示情報が、当該第２のネットワークデバイスが当該第１のネットワークデバイスと同じであるか否かを示すために用いられる。
【００１８】
第２の態様及びそれの上記の実現形態を結合し、第２の態様の第３の実現形態において、当該方法は、当該管理デバイスは、当該第１のネットワークデバイスより送信された更新後の当該端末デバイスのコンテキスト情報を受信することをさらに含む。
【００１９】
第３の態様において、無線通信方法を提供し、当該方法は、
第２のネットワークデバイスは端末デバイスのコンテキスト情報を生成又は更新することと、
当該第２のネットワークデバイスは、管理デバイスに当該端末デバイスのコンテキスト情報を送信することと、
を含む。
【００２０】
第３の態様を結合し、第３の態様の第１の実現形態において、当該第２のネットワークデバイスが、管理デバイスに当該端末デバイスのコンテキスト情報を送信することは、当該第２のネットワークデバイスは、当該管理デバイスに当該端末デバイスのコンテキスト情報と当該端末デバイスのデバイス識別子とを送信することを含み、ここで、一つのデバイス識別子が一つの端末デバイスを一意的に示すために用いられる。
【００２１】
第４の態様において、無線通信方法を提供し、当該方法は、
当該第１のネットワークデバイスが、当該第１の要求メッセージに基づいて、当該端末デバイスのコンテキスト情報を取得することができるように、第１の時間帯において、端末デバイスは、第１のネットワークデバイスに第１の要求メッセージを送信すること、を含み、
当該第１の要求メッセージが、当該第１の要求メッセージが、当該端末デバイスのために無線ベアラを確立、又は復元するように当該第１のネットワークデバイスに要求するために用いられ、ここで、管理デバイスに当該端末デバイスのコンテキスト情報が記憶されており、当該端末デバイスのコンテキスト情報が、第２のネットワークデバイスにより当該管理デバイスに送信されたものであり、当該第２のネットワークデバイスが、当該第１の時間帯の前に最後の一つの、当該端末デバイスのコンテキスト情報を生成又は更新するネットワークデバイスである。
【００２２】
第４の態様を結合し、第４の態様の第１の実現形態において、当該方法は、当該端末デバイスは、当該第１のネットワークデバイスに第１の指示情報を送信すること、をさらに含み、当該第１の指示情報が第３のネットワークデバイスを示すために用いられ、又は、当該第１の指示情報が第１のセルを示すために用いられ、又は当該第１の指示情報が、第３のネットワークデバイスが当該第１のネットワークデバイスと同じであるか否かを示すために用いられ、又は当該第１の指示情報が、第１のセルが当該第１のネットワークデバイスの管轄セルに属しているか否かを示すために用いられ、ここで、当該第３のネットワークデバイスが、当該第１の時間帯の前に最後の一つの、当該端末デバイスとデータ伝送を行うネットワークデバイスであり、当該第１のセルが、当該端末デバイスが当該第１の時間帯の前に最後の１回にデータ伝送に使用するセルである。
【００２３】
第５の態様において、無線通信装置を提供し、上記の第１の態様、及び第１の態様の各実現形態の各ステップを実行するためユニットを含む。
【００２４】
第６の態様において、無線通信装置を提供し、上記の第２の態様、及び第２の態様の各実現形態の各ステップを実行するためユニットを含む。
【００２５】
第７の態様において、無線通信装置を提供し、上記の第３の態様、及び第３の態様の各実現形態の各ステップを実行するためユニットを含む。
【００２６】
第８の態様において、無線通信装置を提供し、上記の第４の態様、及び第４の態様の各実現形態の各ステップを実行するためユニットを含む。
【００２７】
第９の態様において、無線通信デバイスを提供し、記憶装置とプロセッサとを含み、当該記憶装置はコンピュータプログラムを記憶するように構成され、無線通信デバイスに、上記の第１の態様、及びそれの各実現形態内のいずれか一つの無線通信方法を実行させるために、当該プロセッサは、記憶装置から当該コンピュータプログラムを呼び出して実行するように構成される。
【００２８】
第１０の態様において、無線通信デバイスを提供し、記憶装置とプロセッサとを含み、当該記憶装置はコンピュータプログラムを記憶するように構成され、無線通信デバイスに、上記の第２の態様、及びそれの各実現形態内のいずれか一つの無線通信方法を実行させるために、当該プロセッサは、記憶装置から当該コンピュータプログラムを呼び出して実行するように構成される。
【００２９】
第１１の態様において、無線通信デバイスを提供し、記憶装置とプロセッサとを含み、当該記憶装置はコンピュータプログラムを記憶するように構成され、無線通信デバイスに、上記の第３の態様、及びそれの各実現形態内のいずれか一つの無線通信方法を実行させるために、当該プロセッサは、記憶装置から当該コンピュータプログラムを呼び出して実行するように構成される。
【００３０】
第１２の態様において、無線通信デバイスを提供し、記憶装置とプロセッサとを含み、当該記憶装置はコンピュータプログラムを記憶するように構成され、無線通信デバイスに、上記の第４の態様、及びそれの各実現形態内のいずれか一つの無線通信方法を実行させるために、当該プロセッサは、記憶装置から当該コンピュータプログラムを呼び出して実行するように構成される。
【００３１】
第１３の態様において、コンピュータプログラム製品を提供し、前記コンピュータプログラム製品は、コンピュータプログラムコードを含み、前記コンピュータプログラムコードがネットワークデバイスの受信ユニット、処理ユニット、送信ユニット、又はレシーバー、プロセッサ、トランスミッターに実行される時に、ネットワークデバイスに上記の第１の態様、及びそれの各実現形態内のいずれか一つの無線通信方法を実行させる。
【００３２】
第１４の態様において、コンピュータプログラム製品を提供し、前記コンピュータプログラム製品は、コンピュータプログラムコードを含み、前記コンピュータプログラムコードがネットワークデバイスの受信ユニット、処理ユニット、送信ユニット、又はレシーバー、プロセッサ、トランスミッターに実行される時に、ネットワークデバイスに上記の第２の態様、及びそれの各実現形態内のいずれか一つの無線通信方法を実行させる。
【００３３】
第１５の態様において、コンピュータプログラム製品を提供し、前記コンピュータプログラム製品は、コンピュータプログラムコードを含み、前記コンピュータプログラムコードがネットワークデバイスの受信ユニット、処理ユニット、送信ユニット、又はレシーバー、プロセッサ、トランスミッターに実行される時に、ネットワークデバイスに上記の第３の態様、及びそれの各実現形態内のいずれか一つの無線通信方法を実行させる。
【００３４】
第１６の態様において、コンピュータプログラム製品を提供し、前記コンピュータプログラム製品は、コンピュータプログラムコードを含み、前記コンピュータプログラムコードがネットワークデバイスの受信ユニット、処理ユニット、送信ユニット、又はレシーバー、プロセッサ、トランスミッターに実行される時に、ネットワークデバイスに上記の第４の態様、及びそれの各実現形態内のいずれか一つの無線通信方法を実行させる。
【００３５】
第１７の態様において、コンピュータ読み取り可能な媒体を提供し、前記コンピュータ読み取り可能な媒体にプログラムが記憶されており、前記プログラムによって、ユーザ装置が上記の第１の態様、及びそれの各実現形態内のいずれか一つの無線通信方法を実行を実行する。
【００３６】
第１８の態様において、コンピュータ読み取り可能な媒体を提供し、前記コンピュータ読み取り可能な媒体にプログラムが記憶されており、前記プログラムによって、ネットワークデバイスが上記の第２の態様、及びそれの各実現形態内のいずれか一つの無線通信方法を実行を実行する。
【００３７】
第１９の態様において、コンピュータ読み取り可能な媒体を提供し、前記コンピュータ読み取り可能な媒体にプログラムが記憶されており、前記プログラムによって、ネットワークデバイスが上記の第３の態様、及びそれの各実現形態内のいずれか一つの無線通信方法を実行を実行する。
【００３８】
第２０の態様において、コンピュータ読み取り可能な媒体を提供し、前記コンピュータ読み取り可能な媒体にプログラムが記憶されており、前記プログラムによって、ネットワークデバイスが上記の第４の態様、及びそれの各実現形態内のいずれか一つの無線通信方法を実行を実行する。
【００３９】
本発明の実施例による無線通信方法及び装置は、第２のネットワークデバイスが端末デバイスのコンテキスト情報を生成又は更新した後に、当該端末デバイスのコンテキスト情報を管理デバイスに送信し、それによって第１のネットワークデバイスが、管理デバイスから当該端末デバイスのコンテキスト情報を取得し、当該端末デバイスのコンテキスト情報に基づいて、当該端末デバイスのコンテキスト情報を使用して、当該端末デバイスのために無線ベアラを確立又は復元し、当該端末デバイスに通信サービスを提供することができ、即ち、端末デバイスが第２のネットワークデバイスから第１のネットワークデバイスにハンドオーバーしようとする時に、第１のネットワークデバイスと第２のネットワークデバイスとの間のシグナリングのインタラクションを必要とせず、伝送リソースとシグナリングとのオーバーヘッドを低減し、ネットワーク構築のコストを削減することができる。
【図面の簡単な説明】
【００４０】
【図１】本発明の実施例における無線通信方法に適する通信システムの一例の概略的な構成図である。
【図２】本発明の実施例による無線通信方法の概略的なフローチャートである。
【図３】本発明の実施例による無線通信方法の一例のインタラクションを示す図である。
【図４】本発明の実施例による無線通信方法の別の一例のインタラクションを示す図である。
【図５】本発明の実施例による第１の基地局における処理の概略図である。
【図６】本発明の別の実施例による無線通信方法の概略的なフローチャートである。
【図７】本発明のさらなる実施例による無線通信方法の概略的なフローチャートである。
【図８】本発明のさらなる実施例による無線通信方法の概略的なフローチャートである。
【図９】本発明の実施例による無線通信装置の概略的なブロック図である。
【図１０】本発明の別の実施例による無線通信装置の概略的なブロック図である。
【図１１】本発明のさらなる実施例による無線通信装置の概略的なブロック図である。
【図１２】本発明のさらなる実施例による無線通信装置の概略的なブロック図である。
【図１３】本発明の実施例による無線通信デバイスの概略的な構成図である。
【図１４】本発明の別の実施例による無線通信デバイスの概略的な構成図である。
【図１５】本発明のさらなる実施例による無線通信デバイスの概略的な構成図である。
【図１６】本発明のさらなる実施例による無線通信デバイスの概略的な構成図である。
【発明を実施するための形態】
【００４１】
より明確に本発明の実施例を説明するために、上記において、実施例または先行技術の説明で必要となる図面を簡単に説明し、明らかに、上記に記載されている図面は、単なる本発明の幾つかの実施例に過ぎず、当業者にとって、創造的な労力を払わない前提で、これらの図面に基づいてその他の図面が得ることができる。
【００４２】
下記において、本発明の実施例の図面を結合し、本発明の実施例の技術案を明確的、全面的に説明し、当然、説明されている実施例は、本発明の一部の実施例に過ぎず、全ての実施例ではない。本発明の実施例に基づいて、当業者は、創造的な労力を払わずに得られた全てのその他の実施例は、本発明の範囲内である。
【００４３】
本明細書に使用される用語「コンポーネント」、「モジュール」、「システム」などはコンピュータに関連するエンティティ、ハードウェア、ファームウェア、ハードウェアとソフトウェアの組み合わせ、ソフトウェア、又は実行中のソフトウェアを表すことに用いられる。例えば、コンポーネントは、プロセッサで実行されているプロセス、プロセッサ、オブジェクト、実行可能ファイル、実行スレッド、プログラム及び/又はコンピュータであってもよいが、これらに限定されない。図面に示すように、コンピューティングデバイスで動作しているアプリケーション及びコンピューティングデバイスは全てコンポーネントであってもよい。一つ又は複数のコンポーネントはプロセス及び／又は実行スレッドに常駐することができ、コンポーネントは一つのコンピュータに置かれてもよく及び／又は２つ以上のコンピュータの間に配布してもよい。その他、これらのコンポーネントは、様々なデータ構造が記憶されている様々なコンピュータ可読媒体から実行されてもよい。ここで、コンポーネントは例えば一つ又は複数のデータグループを有する信号に基づいて、ローカル及び／又は遠隔プロセスにより通信することができ、データグループは、例えばローカルシステム、分散型システム及び／又はネットワーク間の別のコンポーネントとインタラクションを行う二つのコンポーネントからのデータであっても良い。
【００４４】
本発明の実施例の技術案は、現行のセルラー通信システム、例えば、グローバル移動体通信（ＧＳＭ：Ｇｌｏｂａｌ  Ｓｙｓｔｅｍ  ｏｆ  Ｍｏｂｉｌｅ  Ｃｏｍｍｕｎｉｃａｔｉｏｎ）、広帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）、長期進化型（ＬＴＥ：Ｌｏｎｇ  Ｔｅｒｍ  Ｅｖｏｌｕｔｉｏｎ）などのシステムに適用することが可能であり、サポートする通信は、主に音声とデータに関する通信に関わっている。通常、一つの従来の基地局は、サポートする接続数が限られており、実現しやすい。
【００４５】
次世代移動通信システムは、従来の通信だけではなく、Ｍ２Ｍ（Ｍａｃｈｉｎｅ  ｔｏ  Ｍａｃｈｉｎｅ）通信、又はＭＴＣ（Ｍａｃｈｉｎｅ  Ｔｙｐｅ  Ｃｏｍｍｕｎｉｃａｔｉｏｎ）通信とも称する通信もサポートする。予測によれば、２０２０年まで、ネットワークに接続するＭＴＣデバイスは、５００〜１０００億にも達し、現在の接続の数より大幅に超えることになる。Ｍ２Ｍタイプのサービスは、それのサービスタイプが様々であるため、ネットワークに対する要求が大きく相違している。大雑把に言うと、下記のいくつかの要求が存在する。
【００４６】
信頼性のある伝送であるが、遅延に敏感ではない。
【００４７】
低遅延であり、高信頼性のある伝送。
【００４８】
信頼性のある伝送で、遅延に敏感ではないサービスに対して、比較的に処理しやすいが、Ｖ２Ｖ（Ｖｅｈｉｃｌｅ  ｔｏ  Ｖｅｈｉｃｌｅ）サービス又はＶ２Ｘ（Ｖｅｈｉｃｌｅ  ｔｏ  Ｅｖｅｒｙｔｈｉｎｇ）サービスのような低遅延で、高信頼性のある伝送のようなサービスに対して、短い伝送遅延だけではなく、信頼性も求められている。伝送の信頼性がない場合、再送を引き起こすことによって、大幅な伝送遅延になり、要求を満たせない。
【００４９】
大量の接続が存在することによって、将来の無線通信システムが現在の通信システムと大きく相違する。端末デバイスのアクセスのために大量の接続がより多くのリソースを消耗しなければならなく、端末デバイスにおけるデータ伝送に関係するスケジューリングシグナリングを伝送するために、もっと多くのリソースが消耗される。本発明の実施例による技術案は、上記のリソース消耗問題を有効に解決することができる。
【００５０】
本発明は端末デバイスと結合して各実施例を説明している。端末デバイスは、ユーザ装置（ＵＥ：Ｕｓｅｒ  Ｅｑｕｉｐｍｅｎｔ）、アクセス端末、ユーザユニット、ユーザサイト、移動サイト、遠隔サイト、遠隔端末、移動デバイス、ユーザ端末、端末、無線通信装置、ユーザエージェント又はユーザデバイス等とも称される。端末デバイスは、無線ローカルエリアネットワーク（ＷＬＡＮ：Ｗｉｒｅｌｅｓｓ  Ｌｏｃａｌ  Ａｒｅａ  Ｎｅｔｗｏｒｋｓ）内のステーション（ＳＴ：ＳＴＡＴＩＯＮ）であっても良く、セルラー電話、コードレス電話、セッション開始プロトコル（ＳＩＰ：Ｓｅｓｓｉｏｎ  Ｉｎｉｔｉａｔｉｏｎ  Ｐｒｏｔｏｃｏｌ）電話、無線ローカルループ（ＷＬＬ：Ｗｉｒｅｌｅｓｓ  Ｌｏｃａｌ  Ｌｏｏｐ）サイト、パーソナルデジタル処理（ＰＤＡ：Ｐｅｒｓｏｎａｌ  Ｄｉｇｉｔａｌ  Ａｓｓｉｓｔａｎｔ）、無線通信機能を備えるハンドヘルドデバイス、コンピューティングデバイス又は無線モデムに接続された他の処理デバイス、車載デバイス、ウェアラブルデバイス、将来の５Ｇネットワークにおける端末装置又は将来の進化型公共公共陸地移動ネットワーク（ＰＬＭＮ：Ｐｕｂｌｉｃ  Ｌａｎｄ  Ｍｏｂｉｌｅ  Ｎｅｔｗｏｒｋ）ネットワークにおける端末デバイス等であってもよい。
【００５１】
また、本発明はネットワークデバイスを結合して各実施例を説明している。ネットワークデバイスは、基地局のような移動デバイスと通信するデバイスであっても良く、ネットワークデバイスは、ＷＬＡＮにおけるアクセスポイント（ＡＰ：Ａｃｃｅｓｓ  Ｐｏｉｎｔ）、ＧＳＭ又はシンボル分割多元接続ＣＤＭＡ（ＣＤＭＡ：Ｃｏｄｅ  Ｄｉｖｉｓｉｏｎ  Ｍｕｌｔｉｐｌｅ  Ａｃｃｅｓｓ）における基地局（ＢＴＳ：Ｂａｓｅ  Ｔｒａｎｓｃｅｉｖｅｒ  Ｓｔａｔｉｏｎ）であっても良く、ＷＣＤＭＡにおける基地局（ＮＢ：ＮｏｄｅＢ）であっても良く、さらにＬＴＥ内の又は進化型基地局（ｅＮＢ又はｅＮｏｄｅＢ：Ｅｖｏｌｕｔｉｏｎａｌ  Ｎｏｄｅ  Ｂ）、又は中継局又はアクセスポイント、又は車載デバイス、ウェアラブルデバイス、および将来の５Ｇネットワークにおける端末デバイス又は将来の進化型ＰＬＭＮネットワークにおけるネットワークデバイスなどであっても良い。
【００５２】
本発明の実施例において、管理デバイスは、各ネットワークデバイスと通信することができる（例えば、有線通信が可能であり、無線通信も可能である）。
【００５３】
選択肢として、当該管理デバイスは、移動管理エンティティＭＭＥである。
【００５４】
具体的、限定ではなく例として、ＭＭＥを使用して本発明の実施例における管理デバイスとすることができる。
【００５５】
移動管理エンティティ（ＭＭＥ：Ｍｏｂｉｌｉｔｙ  Ｍａｎａｇｅｍｅｎｔ  Ｅｎｔｉｔｙ）は、３ＧＰＰプロトコルＬＴＥアクセスネットワークの重要な制御ノードであり、中継を含み、アイドルモードである端末デバイスへの定位、発呼を担当し、簡単に説明すると、ＭＭＥはシグナリング処理を担当している。それは、ベアラ（ｂｅａｒｅｒ）活性化／クローズに関わり、ＵＥが初期化して接続してくる時に、ＭＭＥは、このＵＥにサービスゲートウェイ（ＳＧＷ：Ｓｅｒｖｉｎｇ  ＧａｔｅＷａｙ）を選択してあげる。また、ＭＭＥは、ホーム加入者サーバ（ＨＳＳ：Ｈｏｍｅ  Ｓｕｂｓｃｒｉｂｅｒ  Ｓｅｒｖｅｒ）とのインタラクションによってユーザを認証し、ユーザに一時な識別子を割り当てることができる。ＭＭＥは、法律の許可範囲内で、傍受、モニタリングをを行うことができる。
【００５６】
なお、以上に列挙しているＭＭＥの機能は例示的な説明であり、本発明はそれを限定しない。本発明の実施例におけるＭＭＥは、現行通信プロトコルに定められたＭＭＥの各機能を実施することができる。また、ＭＭＥは、本発明の実施例における管理デバイスの一例に過ぎず、その他のネットワークデバイスと通信し、しかも記憶機能を有する任意のデバイスは、本発明の範囲内であり、例えば、当該基地局は、基地局の制御装置であっても良い。
【００５７】
また、本発明の各々の態様又は特徴は、方法、装置又は標準化プログラミング、及び／又は、工程技術の製品として実現されても良い。本発明に使用されている用語「製品」は、任意のコンピュータでの読み取り可能な機器、キャリア、又は媒体からアクセスするコンピュータプログラムを含む。例えば、コンピュータで読み取り可能な媒体は、磁気記憶装置（例えば、ハードディスク、フロッピー又は磁気テープなど）、光ディスク（例えば、圧縮ディスク（ＣＤ：Ｃｏｍｐａｃｔ  Ｄｉｓｋ）、デジタル汎用ディスク（ＤＶＤ：Ｄｉｇｉｔａｌ  Ｖｅｒｓａｔｉｌｅ  Ｄｉｓｋ）など）、スマートカードとフラッシュメモリー（例えば、消去可能、プログラム可能な読み取り専用な記憶装置（ＥＰＲＯＭ：Ｅｒａｓａｂｌｅ  Ｐｒｏｇｒａｍｍａｂｌｅ  Ｒｅａｄ−Ｏｎｌｙ  Ｍｅｍｏｒｙ）、カード、メモリ・スティック又はキー・ドライブなど）を含むが、それらに限らない。また、本文に記述する各種の記憶媒体は、情報を記憶する一つの又は複数のデバイス、及び／又は、その他の機器での読み取り可能な媒体に代表的に用いられる。用語「機器での読み取り可能な媒体」は、無線チャネルと、命令、及び／又は、データを記憶、包含、及び／又は、ベアラする各種のその他の媒体とを含むが、それらに限らない。
【００５８】
図１は、本発明における無線通信方法に適する通信システムの概略図である。図１に示すように、当該通信システム１００は、ネットワークデバイス１０２（即ち、第１のネットワークデバイスの一例）、ネットワークデバイス１０４（即ち、第２のネットワークデバイスの一例）、端末デバイス１０６、及び管理デバイス１０８を含む。
【００５９】
ここで、ネットワークデバイス（例えば、ネットワークデバイス１０２又は端末デバイス１０６）は、複数のアンテナを含むことが可能である。また、ネットワークデバイスは、送信機と受信機とを付加的に含むことが可能であり、当業者は、それらのすべては信号の送信と受信に関する複数のコンポーネント（例えばプロセッサ、変調器、多重化器、マルチプレクサ、デマルチプレクサ又はアンテナなど）を含むことを理解することができる。
【００６０】
ネットワークデバイスは、一つ又は複数の端末デバイス（例えば、端末デバイス１０６）と通信できる。さらに、ネットワークデバイスが端末デバイスのような任意数の端末デバイスと通信できると理解することが可能である。端末デバイスは、例えば、セルラー電話、スマートフォン、ポータブルコンピュータ、ポータブル通信デバイス、ポータブル計算デバイス、衛星無線装置、グローバル定位システム、ＰＤＡ及び／又は無線通信システム１００上で通信するための任意のその他の適切なデバイスであっても良い。
【００６１】
また、ネットワークデバイスは、順方向リンクによって端末デバイスに情報を送信し、逆方向リンクによって端末デバイスから情報を受信することができる。
【００６２】
例えば、在周波数分割複信（ＦＤＤ：Ｆｒｅｑｕｅｎｃｙ  Ｄｉｖｉｓｉｏｎ  Ｄｕｐｌｅｘ）システムにおいて、例えば、順方向リンクと逆方向リンクで使用可能な帯域が異なる。
【００６３】
さらに例えば、時分割複信（ＴＤＤ：Ｔｉｍｅ  Ｄｉｖｉｓｉｏｎ  Ｄｕｐｌｅｘ）システムと全二重（Ｆｕｌｌ  Ｄｕｐｌｅｘ）システムにおいて、順方向リンクと逆方向リンクとは共通の帯域を使用することができる。
【００６４】
通信に用いられるように設計される各アンテナ（又は複数のアンテナグループより構成されるアンテナグループ）、及び／又は、エリアは、ネットワークデバイスのセクタと称される。例えば、アンテナグループをネットワークデバイスのカバレッジ領域のセクタ内の端末デバイスと通信するように設計することが可能である。ネットワークデバイスが順方向リンク１を介して端末デバイスとにそれぞれ通信を行う過程において、ネットワークデバイスの送信アンテナは、ビームフォーミングを利用して順方向リンクの信号対雑音比を改善することが可能である。また、ネットワークデバイスが単独のアンテナでそれのすべての端末デバイスに信号を送信する方式と比べて、ネットワークデバイスがビームフォーミングを利用して、相関するカバレッジ領域内のランダム的に分散されている端末デバイスに信号を送信する時に、隣接セル内の移動デバイスは比較的に少ない干渉を受ける。
【００６５】
所定の時間において、ネットワークデバイス又は端末デバイスは、無線通信送信装置、及び／又は、無線通信受信装置であっても良い。データを送信する時に、無線通信送信装置は、データを符号化して伝送を行う。具体的に、無線通信送信装置は、チャネルを介して無線通信受信装置に送信しようとする一定の数のデータビットを取得（例えば、生成、その他の通信装置から受信、又は記憶装置に記憶するなど）することができる。このようなデータビットは、データの伝送ブロック（又は複数の伝送ブロック）内に含まれても良く、伝送ブロックが分割されて複数のコードブロックが生成されても良い。
【００６６】
また、本発明の実施例において、管理デバイス１０８と通信システム１００内の各ネットワークデバイス（例えば、ネットワークデバイス１０２、及びネットワークデバイス１０４）との間に通信リンクが設けられ、即ち、管理デバイス１０８と通信システム１００内の各ネットワークデバイスとの間で（優先方式又は無線方式によって）情報伝送を行うことができる。
【００６７】
なお、当該通信システム１００は、ＰＬＭＮネットワーク又はＤ２Ｄネットワーク又はＭ２Ｍネットワーク又はその他のネットワークであっても良く、図１は単なる例示的な概略図であり、ネットワークにその他のネットワークデバイスも含まれても良く、図１に図示していない。また、図１に示される例におけるネットワークデバイスと端末デバイスの数は例示的な説明だけであり、本発明はそれに限らない。
【００６８】
本発明の実施例における無線通信方法は、端末デバイスが一つのネットワークデバイスのカバレッジ範囲から、別のネットワークデバイス（例えば、第１のネットワークデバイス）に移動する時の場面に適用でき、つまり、端末デバイスのサービスネットワークデバイスを一つのネットワークデバイスから別のネットワークデバイス（例えば、第１のネットワークデバイス）に変更する場面に適用できる。
【００６９】
一般性を失うことなく、以下において、端末デバイスが基地局＃Ａのカバレッジ範囲から基地局＃Ｂ（即ち、第１のネットワークデバイスの一例）に移動する時の具体的な過程を例として、つまり、端末デバイスのサービスネットワークデバイスを基地局＃Ａから基地局＃Ｂに変更する必要がある時の具体的な過程を例として、本発明の実施例における無線通信方法を詳しく説明する。
【００７０】
図２には、第１のネットワークデバイス（例えば、基地局＃Ｂ）を視点として説明する本発明の実施例における無線通信方法２００の概略的なフローチャートが示されている。図２に示すように、当該方法２００は、Ｓ２１０〜Ｓ２３０を含む。
【００７１】
Ｓ２１０において、第１の時間帯において、第１のネットワークデバイスは、端末デバイスより送信された第１の要求メッセージを受信し、当該第１の要求メッセージが、当該端末デバイスのために無線ベアラを確立、又は復元するように当該第１のネットワークデバイスに要求するために用いられる。
【００７２】
Ｓ２２０において、当該第１のネットワークデバイスは、当該第１の要求メッセージに基づいて、当該端末デバイスのコンテキスト情報を取得し、ここで、管理デバイスに当該端末デバイスのコンテキスト情報が記憶されており、当該端末デバイスのコンテキスト情報が、第２のネットワークデバイスにより当該管理デバイスに送信されたものであり、当該第２のネットワークデバイスが、当該第１の時間帯の前に最後の一つの、当該端末デバイスのコンテキスト情報を生成又は更新するネットワークデバイスである。
【００７３】
Ｓ２３０において、当該第１のネットワークデバイスは、当該端末デバイスのコンテキスト情報に基づいて、当該端末デバイスのために無線ベアラを確立又は復元する。
【００７４】
具体的に、本発明の実施例において、端末デバイス＃Ａが時間帯＃Ａにおいて基地局＃Ｂ（即ち、第１の基地局の一例）によって無線通信を行う必要がある時の技術案を提供している。
【００７５】
また、時間帯＃Ａの前に、当該端末デバイス＃Ａが既にシステム内のある基地局によって無線通信を行っており、即ち、ＭＭＥに当該端末デバイス＃Ａのコンテキストが記憶されている。
【００７６】
限定ではなく例として、時間帯＃Ａの前に（即ち、第１の時間帯の前に）、端末デバイス＃Ａが再起動した後に、基地局＃Ｃのカバレッジ範囲内であるとした場合、当該端末デバイス＃Ａは、例えば、ランダムアクセスのプロセスによって、当該基地局＃Ｃにアクセスすることができる。また、端末デバイス＃Ａがサービスデータを送信または受信する必要がある時に、端末デバイス＃Ａは、基地局＃Ｃへのサービス要求のプロセスを起動することができる。
【００７７】
例えば、端末デバイス＃Ａがサービス要求のプロセスを起動する時に、まず、ランダムアクセスのプロセスを起動することができ、例えば、無線リソース制御接続確立完了（ＲＲＣ  Ｃｏｎｎｅｃｔｉｏｎ  Ｓｅｔｕｐ  Ｃｏｍｐｌｅｔｅ）メッセージにサービス要求メッセージ（Ｓｅｒｖｉｃｅ  Ｒｅｑｕｅｓｔ）を含ませ、当該プロセスは、発呼プロセスと似ている。
【００７８】
ダウンリンクデータが届いた場合、基地局＃Ｃは、端末デバイス＃Ａに対してページングを行うことができ、その後、端末デバイス＃Ａは、ランダムアクセスのプロセスを起動し、同時にサービス要求プロセスを起動し、当該プロセスは、着呼アクセスに似ている。
【００７９】
サービス要求プロセスによってコンテキストセットアップ（Ｉｎｉｔｉａｌ  ｃｏｎｔｅｘｔ  ｓｅｔｕｐ）プロセスを初期化することができ、基地局＃Ｃとコアネットワークとの間のインターフェース（例えば、Ｓ１インターフェース）においてＳ１無線ベアラを確立し、基地局＃Ｃと端末デバイス＃Ａとの間のインターフェース（例えば、Ｕｕインターフェース）においてデータ無線ベアラを確立し、ＵＥとコアネットワークとの間の経路を通させ、後続のデータ伝送に準備を整える。
【００８０】
また、本発明の実施例において、基地局＃Ｃは、上記の無線ベアラに関する情報、即ち、当該端末デバイス＃Ａのコンテキスト情報を記憶することができる。
【００８１】
例えば、端末デバイスがアタッチ状態、つまり、非アイドル（ｉｄｌｅ）状態である場合、当該端末デバイスのコンテキストが、例えば、端末デバイスの能力（例えば、サポートする通信所支持的通信方式）、基地局識別子（ｅＮｏｄｅＢ  ＩＤ）、認証情報、取り決めたセキュリティアルゴリズム、生成された秘密鍵、作成された接続情報（例えば、アクセスポイント名（ＡＰＮ：Ａｃｃｅｓｓ  Ｐｏｉｎｔ  Ｎａｍｅ）、パケットデータネットワークゲートウェイ（ＰＧＷ：Ｐａｃｋｅｔ  Ｄａｔａ  Ｎｅｔｗｏｒｋ  Ｇａｔｅｗａｙ）、サービス品質クラス識別子（ＱＣＩ：ＱｏＳ  Ｃｌａｓｓ  Ｉｄｅｎｔｉｆｉｅｒ））、ベアラ情報（例えば、ＥＢＩ、ＱＣＩ、アップリンク・ダウンリンクＡＭＢＲ、ＴＦＴ、制御プレーンとユーザプレーンアドレス等）、当該端末デバイスのアクセス（ＡＳ：Ａｃｃｅｓｓ  Ｓｔｒａｔｕｍ）層の構成、例えばＡＳ層セキュリティ構成、ベアラ相関構成、Ｌ１／Ｌ２に関する構成、を含むことができる。
【００８２】
なお、上記に列挙されるコンテキスト情報に含まれる各情報エレメントは例示的な説明に過ぎず、本発明はそれに限定されない。従来技術におけるその他のコンテキストに属するパラメータ又は情報は、すべて本発明の範囲内であり、また、その他の端末デバイスを復元するための無線ベアラの情報もすべて本発明の範囲内である。
【００８３】
また、基地局＃Ｃが当該端末デバイス＃Ａのコンテキスト情報を生成した後に、当該端末デバイス＃Ａのコンテキスト情報をＭＭＥに送信することができる。
【００８４】
また、当該端末デバイス＃Ａのベアラが変更された場合、基地局＃Ｃは、当該端末デバイス＃Ａのコンテキスト情報を更新することができ、更新後の当該端末デバイス＃Ａのコンテキスト情報をＭＭＥに送信することができる。
【００８５】
本発明の実施例において、当該基地局＃Ｃは、時間帯＃Ａの前に最後の一つの、当該端末デバイス＃Ａのコンテキスト情報を更新する基地局であっても良く、例えば、時間帯＃Ａの前に、当該基地局＃Ｃが、ずっと当該端末デバイス＃Ａのサービス基地局とされ、又は、当該端末デバイス＃Ａが、当該基地局＃Ｃから離れ、第１の時間帯の前に再び当該基地局＃Ｃに戻ることができ、また、第１の時間帯の前に、最後の一つの当該端末デバイス＃Ａのコンテキスト情報を更新する基地局が基地局＃Ｃである。
【００８６】
又は、本発明の実施例において、時間帯＃Ａの前に、当該端末デバイス＃Ａは、当該基地局＃Ｃから離れ、その他の（一つ又は複数）基地局にハンドオーバーすることができ、即ち、第１の時間帯の前に、最後の一つの当該端末デバイス＃Ａのコンテキスト情報を更新する基地局は、基地局＃Ｃ以外の基地局（基地局＃Ｄと記述する）である。また、毎回の更新後に、更新後の当該端末デバイス＃Ａのコンテキスト情報のすべては、ＭＭＥに送信される。なお、基地局＃Ｄは、当該端末デバイス＃Ａのコンテキスト情報を再度生成することができ、ＭＭＥから当該基地局＃Ｃによって生成又は更新された当該端末デバイス＃Ａのコンテキスト情報を取得することができる。また、当該端末デバイス＃Ａのベアラが変更された時に、基地局＃Ｄは、当該端末デバイス＃Ａのコンテキスト情報を更新した後に、更新後の当該端末デバイス＃Ａのコンテキスト情報をＭＭＥに送信することができる。
【００８７】
理解、区別しやすいように、以下において、第１の時間帯の前に、最後の一つの当該端末デバイス＃Ａのコンテキスト情報を更新する基地局を、基地局＃Ａ（即ち、第２の基地局の一例）と記述する。即ち、当該基地局＃Ａは、上記の基地局＃Ｃであっても良く、上記の基地局＃Ｄであっても良く、本発明は特に限定しない。
【００８８】
なお、本発明の実施例において、一つの端末デバイス（例えば、端末デバイス＃Ａ）に対して、ＭＭＥは一つのコンテキスト情報だけを記憶することができ、即ち、この場合、ＭＭＥに最も近い１回に受信された（つまり、最も近い１回に更新した後の）端末デバイス＃Ａのコンテキスト情報が記憶され、即ち、本発明の実施例において、ＭＭＥに記憶される端末デバイス＃Ａのコンテキスト情報は、基地局＃Ａが時間帯＃Ａの前に最後の１回に生成又は更新された端末デバイス＃Ａのコンテキスト情報である。
【００８９】
それによって、時間帯＃Ａ（即ち、第１の時間帯の一例）において、
基地局＃Ｂは、ＭＭＥに記憶される時間帯＃Ａの前に最後の１回に生成又は更新された端末デバイス＃Ａのコンテキスト情報（以下、理解、区別しやすいように、コンテキスト＃Ａと記述する）を取得することができる。当該コンテキスト＃Ａに基づいて、端末デバイス＃Ａのために無線ベアラを確立又は復元し、当該無線ベアラを介して端末デバイス＃Ａのためにデータを伝送する。
【００９０】
以下において、当該基地局＃Ｂがコンテキスト＃Ａを取得する方法とプロセスに対して詳しく説明する。
【００９１】
本発明の実施例において、当該基地局＃Ｂと基地局＃Ａとは異なる基地局（即ち、状況１）であっても良く、又は、当該基地局＃Ｂが基地局＃Ａと同じ基地局（即ち、状況２）であっても良く、以下において、上記の二つの状況における処理フローに対してそれぞれ詳しく説明する。
【００９２】
状況１
選択肢として、当該第１のネットワークデバイスが、当該第１の要求メッセージに基づいて、当該端末デバイスのコンテキスト情報を取得することは、
当該第１のネットワークデバイスは、当該第１の要求メッセージに基づいて、当該管理デバイスに第２の要求メッセージを送信することと、
当該第１のネットワークデバイスは、当該管理デバイスより送信された当該端末デバイスのコンテキスト情報を受信することと、
を含み、当該第２の要求メッセージが、当該第１のネットワークデバイスに当該端末デバイスのコンテキスト情報を送信するように当該管理デバイスに要求するために用いられる。
【００９３】
具体的に、図３は、本発明の実施例による無線通信方法の一例のインタラクション図である。図３に示すように、Ｓ３１０において、時間帯＃Ａの前に、端末デバイス＃Ａが基地局＃Ａのカバレッジ範囲内にあり、また、当該コンテキスト＃Ａが、基地局＃Ａにより時間帯＃Ａの前に最後の１回に生成又は更新され、また、コンテキスト＃Ａが基地局＃Ａにより時間帯＃Ａの前にＭＭＥに送信される。
【００９４】
Ｓ３２０において、時間帯＃Ａで、端末デバイス＃Ａが基地局＃Ｂのカバレッジ範囲内に移動し、また、データを伝送しようとする時に、当該端末デバイス＃Ａは、基地局＃Ｂに要求メッセージ＃Ａ（即ち、第１の要求メッセージの一例）を送信することができ、当該要求メッセージ＃Ａは、端末デバイス＃Ａのためにデータを伝送するように当該基地局＃Ｂに要求するためのメッセージであっても良く、例えば、当該要求メッセージ＃Ａは、当該基地局＃Ｂが端末デバイス＃Ａのために無線ベアラを確立（つまり、復元）することををトリガーするメッセージであっても良く、又は、当該要求メッセージ＃Ａは、当該基地局＃Ｂがコンテキスト＃Ａを取得することをトリガーするメッセージであっても良い。
【００９５】
選択肢として、当該第１の要求メッセージは、無線リソース制御（ＲＲＣ）接続復元要求メッセージである。
【００９６】
具体的に、本発明の実施例において、ＲＲＣ接続復元要求メッセージ（ＲＲＣ  ｃｏｎｎｅｃｔｉｏｎ  ｒｅｓｕｍｅ  Ｒｅｑｕｅｓｔ）を使用して要求メッセージ＃Ａとすることができる。それによって、従来技術におけるメッセージを有効に利用することができ、本発明の実施例における無線通信方法の実用性と汎用性を向上させることができる。
【００９７】
当該要求メッセージ＃Ａを受信した後に、基地局＃Ｂは、コンテキスト＃Ａを取得するプロセスをトリガーすることができる。
【００９８】
以下において、当該基地局＃Ｂと基地局＃Ａとが同じであるかそれとも異なるかに関するプロセスを詳しく説明する。
【００９９】
方式１
本発明の実施例において、当該基地局＃Ｂと基地局＃Ａとが同じであるかそれとも異なるかに関するプロセスは、端末デバイス＃Ａからの第１の指示情報に基づいて、行うことができる。
【０１００】
即ち、選択肢として、当該第１のネットワークデバイスが当該第１の要求メッセージに基づいて、管理デバイスに第２の要求メッセージを送信する前に、当該方法は、
当該第１のネットワークデバイスは、当該端末デバイスより送信された第１の指示情報を受信することと、
当該第１のネットワークデバイスは、当該第１の指示情報に基づいて、当該第３のネットワークデバイスが当該第１のネットワークデバイスと異なるネットワークデバイスであることを確定すること、又は
当該第１のネットワークデバイスは、当該第１の指示情報に基づいて、当該第１のセルが当該第１のネットワークデバイスの管轄セルではないことを確定することと、
をさらに含み、
当該第１の指示情報が第３のネットワークデバイスを示すために用いられ、又は、当該第１の指示情報が第１のセルを示すために用いられ、又は当該第１の指示情報が、第３のネットワークデバイスが当該第１のネットワークデバイスと同じであるか否かを示すために用いられ、又は当該第１の指示情報が、第１のセルが当該第１のネットワークデバイスの管轄セルに属しているか否かを示すために用いられ、ここで、当該第３のネットワークデバイスが、当該第１の時間帯の前に最後の一つの、当該端末デバイスとデータ伝送を行うネットワークデバイスであり、当該第１のセルが、当該端末デバイスが当該第１の時間帯の前に最後の１回にデータ伝送に使用するセルである。
【０１０１】
具体的に、本発明の実施例において、端末デバイス＃Ａは、現時点の前に最後の１回にデータ伝送に使用されるネットワークデバイス又はセルを記録することができ、そして、Ｓ３２０に戻って、当該端末デバイス＃Ａは、要求メッセージ＃Ａに指示情報＃１（即ち、第１の指示情報の一例）を含ませることができる。
【０１０２】
限定ではなく例として、本発明の実施例において、当該指示情報＃１は、以下の情報を含むことができる。
【０１０３】
１．時間帯＃Ａの前に最後の１回にデータ伝送に使用される基地局（即ち、基地局＃Ａ）の指示情報、例えば、基地局＃Ａの識別子である。
【０１０４】
また、この場合、基地局＃Ｂは、当該基地局＃Ａの指示情報に基づいて、基地局＃Ｂが基地局＃Ａと同じであるか否かを確定することができ、例えば、基地局＃Ｂの識別子が基地局＃Ａの識別子と同じであるか否かを判定することができ、一致する場合、基地局＃Ｂが基地局＃Ａと同じであることを判定することができ、一致ではない場合、基地局＃Ｂが基地局＃Ａと異なると判定する。
【０１０５】
２．時間帯＃Ａの前に最後の１回にデータ伝送に使用されるセル（即ち、基地局＃Ａのセル、以下、理解、区別しやすいように、セル＃Ａと記述する）の指示情報、例えば、セル＃Ａの識別子である。
【０１０６】
また、この場合、基地局＃Ｂは、当該セル＃Ａの指示情報に基づいて、セル＃Ａが基地局＃Ｂの管轄セルに属しているか否かを確定することができ、例えば、セル＃Ａの識別子が当該基地局＃Ｂの管轄するすべてのセルを記録するセルリストに存在しているか否かを判断することができ、存在している場合、基地局＃Ｂが基地局＃Ａと同じであると判定し、存在していない場合、基地局＃Ｂが基地局＃Ａと異なると判定する。
【０１０７】
３．時間帯＃Ａの前に最後の１回にデータ伝送に使用される基地局（即ち、基地局＃Ａ）が現在サービスを要求する基地局（即ち、基地局＃Ｂ）と同じであるか否かに関する指示情報。
【０１０８】
具体的に、端末デバイス＃Ａは、基地局＃Ｂの情報（例えば、基地局＃Ｂの識別子）を取得することができ、当該基地局＃Ｂの情報と記憶されている基地局＃Ａの情報に基づいて、基地局＃Ｂが基地局＃Ａと同じであるか否か（例えば、基地局＃Ｂの識別子と基地局＃Ａの識別子と一致しているかを判断することができる）を確定し、そして、１ビットの情報を使用して当該指示情報＃１とすることができ、例えば、基地局＃Ｂが基地局＃Ａと同じである場合、当該指示情報＃１が「１」であっても良く、基地局＃Ｂが基地局＃Ａと異なる場合、当該指示情報＃１が「０」であっても良く、それによって、当該指示情報＃１によるリソース伝送のオーバーヘッドを減少することができる。
【０１０９】
４．時間帯＃Ａの前に最後の１回にデータ伝送に使用されるセル（即ち、セル＃Ａ）がサービスを要求する基地局（即ち、基地局＃Ｂ）の管轄するセルに属しているか否かに関する指示情報。
【０１１０】
具体的に、端末デバイス＃Ａは、基地局＃Ｂの管轄するすべてのセルの情報を取得することができ、当該基地局＃Ｂの管轄するすべてのセルの情報と記憶するセル＃Ａの情報に基づいて、セル＃Ａが基地局＃Ｂの管轄するセルに属しているか否かを確定し、そして、１ビットの情報を使用して当該指示情報＃１とし、例えば、セル＃Ａが基地局＃Ｂの管轄するセルに属している場合、当該指示情報＃１が「１」であっても良く、セル＃Ａが基地局＃Ｂの管轄するセルに属していない場合、当該指示情報＃１が「０」であっても良く、それによって、当該指示情報＃１によるリソース伝送のオーバーヘッドを減少することができる。
【０１１１】
選択肢として、当該第１の指示情報が当該第１の要求メッセージを含む。
【０１１２】
具体的に、本発明の実施例において、端末デバイス＃Ａは、指示情報＃１を要求メッセージ＃Ａに含ませて、基地局＃Ｂに送信することができ、それによって、端末デバイス＃Ａと基地局＃Ｂとのシグナリングインタラクションを減少することができる。
【０１１３】
なお、上記に列挙される指示情報＃１の送信方式は例示的な説明に過ぎず、本発明はそれに限定されない。例えば、当該指示情報＃１は、要求メッセージ＃Ａ以外のメッセージに含ませても良く、即ち、要求メッセージ＃Ａが指示情報＃１と同時に送信しなくても良い。
【０１１４】
上記のような、状況１において、当該基地局＃Ｂが基地局＃Ａと異なる基地局であり、即ち、基地局＃Ｂが上記の方式１によって得られた判定結果は、当該基地局＃Ｂが基地局＃Ａと異なることであり、そして、Ｓ３３０において、基地局＃Ｂは、ＭＭＥに要求メッセージ＃Ｂ（即ち、第２の要求メッセージの一例）を送信することができ、当該要求メッセージ＃Ｂは、当該基地局＃Ｂにコンテキスト＃Ａを提供するように当該ＭＭＥを要求するためのメッセージであっても良い。
【０１１５】
Ｓ３４０において、ＭＭＥは、当該要求メッセージ＃Ｂに基づいて、コンテキスト＃Ａをサーチし、その後、当該プロセスに対して詳しく説明する。
【０１１６】
Ｓ３５０において、ＭＭＥは、サーチして得られたコンテキスト＃Ａを基地局＃Ｂに送信することができる。
【０１１７】
Ｓ３６０において、基地局＃Ｂは、当該コンテキスト＃Ａに基づいて、無線ベアラを確定又は復元し、つまり、基地局＃Ｂは、端末デバイス＃Ａの時間帯＃Ａの前に通信するのに使用された無線ベアラを復元することができ、それによって、端末デバイス＃Ａは、当該基地局＃Ｂによって無線通信できる。ここで、基地局＃Ｂがコンテキスト＃Ａに基づいて、無線ベアラを確定又は復元し、端末デバイス＃Ａのためにデータ伝送を行うプロセスは、従来技術と類似しており、ここで、重複を避けるために、詳しい説明を省略する。
【０１１８】
方式２
本発明の実施例において、当該基地局＃Ｂが基地局＃Ａと同じであるかそれとも異なるかを判定するプロセスは、ＭＭＥからの第２の指示情報に基づいて、行うことができる。
【０１１９】
即ち、選択肢として、当該第１のネットワークデバイスが、当該管理デバイスより送信された当該端末デバイスのコンテキスト情報を受信する前に、当該方法は、
当該第１のネットワークデバイスは、当該管理デバイスより送信された第２の指示情報を受信することと、
当該第１のネットワークデバイスは、当該第２の指示情報に基づいて、当該第２のネットワークデバイスが当該第１のネットワークデバイスと異なるネットワークデバイスであることを確定することと、
をさらに含み、当該第２の指示情報が、当該第２のネットワークデバイスを示すために用いられ、又は、当該第２の指示情報が、当該第２のネットワークデバイスが当該第１のネットワークデバイスと同じであるか否かを示すために用いられる。
【０１２０】
具体的に、Ｓ３３０において、基地局＃Ｂは、ＭＭＥに要求メッセージ＃Ｂ（即ち、第２の要求メッセージの一例）を送信することができ、当該要求メッセージ＃Ｂは、当該基地局＃Ｂにコンテキスト＃Ａ（即ち、時間帯＃Ａの前に最後の１回に更新される端末デバイス＃Ａのコンテキスト情報）を提供するように当該ＭＭＥに要求するメッセージであっても良い。
【０１２１】
本発明の実施例において、ＭＭＥは、現時点の前に最後の１回に、当該ＭＭＥのサービスする端末デバイス（端末デバイス＃Ａを含む）のコンテキスト情報を更新する基地局（基地局＃Ａを含む）を記録することができ、それによって、ＭＭＥは、要求メッセージ＃Ｂを受信する時間帯の前（即ち、時間帯＃Ａの前）の最後の１回に端末デバイス＃Ａのコンテキスト情報を生成又は更新した基地局（即ち、基地局＃Ａ）をサーチすることができる。また、ＭＭＥは、基地局＃Ｂに指示情報＃２（即ち、第２の指示情報の一例）を送信することができる。
【０１２２】
限定ではなく例として、本発明の実施例において、当該指示情報＃２は、以下の情報５、情報６を含むことができる。
【０１２３】
５．時間帯＃Ａの前に最後の１回に端末デバイス＃Ａのコンテキスト情報を更新する基地局（即ち、基地局＃Ａ）の指示情報、例えば、基地局＃Ａの識別子である。
【０１２４】
また、この場合、基地局＃Ｂは、当該基地局＃Ａの指示情報に基づいて、基地局＃Ｂが基地局＃Ａと同じであるか否かを確定することができ、例えば、基地局＃Ｂの識別子が基地局＃Ａの識別子と一致しているか否かを判断することができ、一致している場合、基地局＃Ｂが基地局＃Ａと同じであると判断することができ、一致しない場合、基地局＃Ｂが基地局＃Ａと異なると判断することができる。
【０１２５】
６．時間帯＃Ａの前に最後の１回に端末デバイス＃Ａのコンテキスト情報を更新する基地局（即ち、基地局＃Ａ）が基地局＃Ｂと同じであるかに関する指示情報。
【０１２６】
具体的に、ＭＭＥは、基地局＃Ｂの情報（例えば、基地局＃Ｂの識別子）を取得し、当該基地局＃Ｂの情報と記憶されている基地局＃Ａの情報に基づいて、基地局＃Ｂが基地局＃Ａと同じであるか否か（例えば、基地局＃Ｂの識別子が基地局＃Ａの識別子と一致しているか否かを判断することができる）を確定することができ、それによって、１ビットの情報を使用して当該指示情報＃１とすることができ、例えば、基地局＃Ｂが基地局＃Ａと同じである場合、当該指示情報＃２が「１」であっても良く、基地局＃Ｂが基地局＃Ａと異なる場合、当該指示情報＃２が「０」であっても良く、それによって、当該指示情報＃１のリソース伝送に対するオーバーヘッドを減少することができる。
【０１２７】
選択肢として、当該第２の指示情報と当該端末デバイスのコンテキスト情報とは、同一メッセージに含まれる。
【０１２８】
具体的に、本発明の実施例において、ＭＭＥは、指示情報＃２とコンテキスト＃Ａとを同一メッセージに含ませ、基地局＃Ｂに送信することができ、それによって、ＭＭＥと基地局＃Ｂとの間のシグナリングのインタラクションを減少することができる。
【０１２９】
なお、以上に列挙している指示情報＃２の送信方式は、例示的な説明に過ぎず、本発明はそれに限定されなく、例えば、当該指示情報＃２を、コンテキスト＃Ａと異なるメッセージに含ませることができ、即ち、指示情報＃２がコンテキスト＃Ａと同時に送信しない。
【０１３０】
また、上記のように、状況１において、当該基地局＃Ｂが基地局＃Ａと異なる基地局であり、即ち、ＭＭＥは上記の方式２によって、当該基地局＃Ｂが基地局＃Ａと異なる判定結果が得られ、それによって、Ｓ３４０において、ＭＭＥは、当該要求メッセージ＃Ｂに基づいて、コンテキスト＃Ａをサーチすることができ、後文において、当該プロセスに対して詳しく説明する。
【０１３１】
Ｓ３５０において、ＭＭＥは、サーチして得られたコンテキスト＃Ａを基地局＃Ｂに送信することができる。また、上記のように、状況１において、当該基地局＃Ｂが基地局＃Ａと異なる基地局であり、即ち、基地局＃Ｂは、上記の方式２によって、当該基地局＃Ｂが基地局＃Ａと異なる判定結果が得られ、それによって、基地局＃Ｂは、コンテキスト＃Ａを受信することができる。
【０１３２】
Ｓ３６０において、基地局＃Ｂは、当該コンテキスト＃Ａに基づいて、無線ベアラを確定又は復元することができ、つまり、基地局＃Ｂは、端末デバイス＃Ａの時間帯＃Ａの前に通信するのに使用された無線ベアラを復元することができ、それによって、端末デバイス＃Ａは、当該基地局＃Ｂによって無線通信を行うことができる。ここで、基地局＃Ｂがコンテキスト＃Ａに基づいて、無線ベアラを確定又は復元し、端末デバイス＃Ａのためにデータ伝送を行うプロセスは、従来技術と類似しており、ここで、重複を避けるために、詳しい説明を省略する。
【０１３３】
以下において、ＭＭＥがコンテキスト＃Ａをサーチするプロセスに対して詳しく説明する。
【０１３４】
選択肢として、当該管理デバイスに、当該端末デバイスのデバイス識別子と当該端末デバイスのコンテキスト情報とのマッピング関係が記憶されており、ここで、一つのデバイス識別子が一つの端末デバイスを一意的に示すために用いられ、また、
当該第１のネットワークデバイスが当該第１の要求メッセージに基づいて、管理デバイスに第２の要求メッセージを送信することは、
当該第１のネットワークデバイスは、当該第１の要求メッセージに基づいて、当該管理デバイスに第２の要求メッセージを送信することを含み、当該第２の要求メッセージに当該端末デバイスのデバイス識別子が含まれる。
【０１３５】
具体的に、上記のように、システムにおける各基地局は、それのサービスする端末デバイスのコンテキスト情報が、生成又は変更される時に、生成又は更新したコンテキスト情報をＭＭＥに送信して記憶することができ、しかも、ある基地局がある端末デバイスのコンテキスト情報をＭＭＥに要求する時に、ＭＭＥは、当該端末デバイスのコンテキスト情報をサーチして、当該基地局に送信する必要があり、しかし、システムにおける端末デバイスが二つ又は二つ以上である場合、各端末デバイスがＭＭＥに記憶されるコンテキスト情報を如何に区別するかは、解決すべき課題である。
【０１３６】
限定ではなく例として、本発明の実施例において、各基地局がコンテキスト情報をアップロードする時に、当該コンテキスト情報の属される端末デバイスの指示情報（例えば、当該端末デバイスのデバイス識別子）と共にアップロードすることができ、それによって、ＭＭＥは、各コンテキスト情報と、それの属される端末デバイスとのマッピング関係を記録することができる。例えば、上記の基地局＃ＡがＭＭＥにコンテキスト＃Ａを送信する時に、端末デバイス＃Ａのデバイス識別子と共にＭＭＥにアップロードすることができ、それによって、ＭＭＥは、コンテキスト＃Ａと端末デバイス＃Ａのデバイス識別子とのマッピング関係に基づいて、サーチすることができる。それによって、基地局＃ＢがＭＭＥに当該コンテキスト＃Ａを要求する時に、ＭＭＥに端末デバイス＃Ａのデバイス識別子を送信することができ、そして、ＭＭＥは端末デバイス＃Ａのデバイス識別子に基づいて、記録されているマッピング関係によって、端末デバイス＃Ａのデバイス識別子に対応するコンテキスト情報を見つけ、コンテキスト＃Ａとすることができる。
【０１３７】
なお、以上に列挙している、ＭＭＥが端末デバイスに対応するコンテキストをサーチする方式は、例示的な説明に過ぎず、本発明はそれに限定されなく、例えば、システムに端末デバイスが少なく、又は、各基地局サービスの端末デバイスの数も少ない時に、ＭＭＥは、各コンテキスト情報と、当該コンテキスト情報の元である基地局の基地局識別子とのマッピング関係を記憶し、基地局識別子に基づいて、コンテキスト情報をサーチすることもできる。
【０１３８】
状況２
選択肢として、当該方法は、
第２の時間帯において、当該第１のネットワークデバイスは、当該端末デバイスのコンテキスト情報を生成又は更新することと、
当該第１のネットワークデバイスは、当該端末デバイスのコンテキスト情報を記憶することと、
をさらに含み、当該第２の時間帯が当該第１の時間帯の前である。
【０１３９】
具体的に、図４は、本発明の実施例による無線通信方法の一例のインタラクション図である。図４に示すように、Ｓ４１０において、時間帯＃Ａの前に、端末デバイス＃Ａが基地局＃Ｂのカバレッジ範囲内であり、しかも、当該コンテキスト＃Ａが、基地局＃Ｂによって時間帯＃Ａの前に最後の１回に生成又は更新され、コンテキスト＃Ａが基地局＃Ｂによって、時間帯＃Ａの前にＭＭＥに伝送し、コンテキスト＃Ａは、基地局＃Ｂに記憶することができる。
【０１４０】
さらに、時間帯＃Ａの前に、端末デバイス＃Ａが、基地局＃Ｂのカバレッジ範囲から離れ、又は、端末デバイス＃Ａがサスペンド状態にあり、又は、端末デバイス＃Ａがその他の基地局のカバレッジ範囲に入っているが、当該基地局が端末デバイス＃Ａのコンテキストを変更しない。
【０１４１】
Ｓ４２０において、時間帯＃Ａで、端末デバイス＃Ａが基地局＃Ｂのカバレッジ範囲内に移動し、しかも、データ伝送が必要である時に、当該端末デバイス＃Ａは、基地局＃Ｂに要求メッセージ＃Ａ（即ち、第１の要求メッセージの一例）を送信することができ、当該要求メッセージ＃Ａは、端末デバイス＃Ａのためにデータを伝送するように当該基地局＃Ｂに要求するためのメッセージであっても良く、例えば、当該要求メッセージ＃Ａは、当該基地局＃Ｂが端末デバイス＃Ａのために、無線ベアラを確立（又は、復元）するようにトリガーするメッセージであっても良く、つまり、当該要求メッセージ＃Ａは、当該基地局＃Ｂがコンテキスト＃Ａを取得するようにトリガーするメッセージであっても良い。
【０１４２】
選択肢として、当該第１の要求メッセージは、無線リソース制御（ＲＲＣ）接続復元要求メッセージである。
【０１４３】
具体的に、本発明の実施例において、ＲＲＣ接続復元要求メッセージ（ＲＲＣ  ｃｏｎｎｅｃｔｉｏｎ  ｒｅｓｕｍｅ  Ｒｅｑｕｅｓｔ）を使用して要求メッセージ＃Ａとすることができる。それによって、従来技術のメッセージを有効に利用することができ、本発明の実施例における無線通信方法の実用性と汎用性を向上させることができる。
【０１４４】
当該要求メッセージ＃Ａを受信した後に、基地局＃Ｂは、コンテキスト＃Ａを取得するプロセスをトリガーすることができる。
【０１４５】
例えば、Ｓ４３０において、基地局＃Ｂは、上記の方式１に基づいて、当該基地局＃Ｂが基地局＃Ａと同じ基地局であるか否かを確定することができる。
【０１４６】
さらに、例えば、Ｓ４３０において、基地局＃Ｂは、上記の方式２に基づいて、当該基地局＃Ｂが基地局＃Ａと同じ基地局であるか否かを確定することができ、即ち、基地局＃Ｂは、ＭＭＥに要求メッセージ＃Ｂ（即ち、第２の要求メッセージの一例）を送信することができ、当該要求メッセージ＃Ｂが、当該基地局＃Ｂにコンテキスト＃Ａ（即ち、時間帯＃Ａの前に最後の１回に更新された端末デバイス＃Ａのコンテキスト情報）を提供するように当該ＭＭＥに要求するためのメッセージであっても良い。また、ＭＭＥは、基地局＃Ｂに上記の指示情報＃２を送信することができ、基地局＃Ｂは、当該指示情報＃２に基づいて、当該基地局＃Ｂが基地局＃Ａと同じ基地局であるか否かを確定することができる
また、上記のように、状況２において、当該基地局＃Ｂが基地局＃Ａと同じ基地局であり、ＭＭＥは、上記の方式２によって、当該基地局＃Ｂが基地局＃Ａと同じである判定結果が得られ、それによって、ＭＭＥは、基地局＃Ｂにコンテキスト＃Ａを送信しなくても良い。
【０１４７】
また、上記のように、状況２において、当該基地局＃Ｂが基地局＃Ａと同じ基地局であり、基地局＃Ｂは、当該コンテキスト＃Ａが基地局＃Ｂに記憶されていることを確定し、記憶されているコンテキスト＃Ａを取得することができる。以下において、当該プロセスに対して詳しく説明する。
【０１４８】
Ｓ４４０において、基地局＃Ｂは、当該コンテキスト＃Ａに基づいて、無線ベアラを確定又は復元することができ、つまり、基地局＃Ｂは、端末デバイス＃Ａが時間帯＃Ａの前に通信するに使用される無線ベアラを復元することができ、それによって、端末デバイス＃Ａは、当該基地局＃Ｂによって無線通信をすることができる。ここで、基地局＃Ｂがコンテキスト＃Ａに基づいて、無線ベアラを確定又は復元し、端末デバイス＃Ａのためにデータ伝送を行うプロセスは、従来技術と類似しており、ここで、重複を避けるために、詳しい説明を省略する。
【０１４９】
以下において、基地局＃Ｂがコンテキスト＃Ａをサーチするプロセスに対して詳しく説明する。
【０１５０】
本発明の実施例において、各基地局がコンテキスト情報を記憶する時に、当該コンテキスト情報の属される端末デバイスの指示情報（例えば、当該端末デバイスのデバイス識別子）を同時に記憶することができ、即ち、基地局は、各コンテキスト情報と、それの属される端末デバイスとのマッピング関係を記憶することができる。例えば、上記の基地局＃Ｂがコンテキスト＃Ａを記憶する時に、コンテキスト＃Ａと端末デバイス＃Ａのデバイス識別子とのマッピング関係を記憶することができる。それによって、基地局＃Ｂがコンテキスト＃Ａをサーチする時に、端末デバイス＃Ａのデバイス識別子に基づいて、記録されるマッピング関係から、端末デバイス＃Ａのデバイス識別子に対応するコンテキスト情報を得て、コンテキスト＃Ａとすることができる。
【０１５１】
なお、上記に列挙される、基地局が端末デバイスに対応するコンテキストをサーチする方式は、例示的な説明に過ぎず、本発明はそれに限らず、例えば、システム内の端末デバイスが少なく、又は、各基地局のサービスする端末デバイスの数が少ない時に、基地局は、コンテキスト情報のみを記憶しても良い。
【０１５２】
選択肢として、当該方法は、
第３の時間帯において、当該第１のネットワークデバイスは、当該端末デバイスのコンテキスト情報を更新することと、
当該第１のネットワークデバイスは、管理デバイスに更新後の当該端末デバイスのコンテキスト情報を送信することと、
をさらに含み、当該第３の時間帯が当該第１の時間帯の後である。
【０１５３】
具体的に、時間帯＃Ａの後に（即ち、第３の時間帯の一例）、基地局＃Ｂがコンテキスト＃Ａを変更する必要があるとした場合、基地局は、変更後のコンテキスト＃ＡをＭＭＥに送信することができる。
【０１５４】
図５は、本発明の実施例による第１の基地局における処理の概略図である。図５に示すように、Ｓ５１０において、時間帯＃Ａにおいて、基地局＃Ｂが端末デバイス＃Ａからの要求メッセージ＃Ａを受信する。
【０１５５】
選択肢として、Ｓ５２０において、基地局＃Ｂは、端末デバイス＃Ａからの指示情報＃１（例えば、指示情報＃１が要求メッセージ＃Ａに含まれても良い）に基づいて、当該基地局＃Ｂが時間帯＃Ａの前に最後の１回に当該端末デバイス＃Ａとデータ伝送する基地局であるか否かを確定することができる。
【０１５６】
Ｓ５２０において判定結果が「はい」である場合、Ｓ５３５を実施し、Ｓ５３５において、基地局＃Ａは、記憶されているコンテキスト＃Ａをサーチすることができる。
【０１５７】
Ｓ５２０において判定結果が「いええ」である場合、Ｓ５３０を実施し、Ｓ５３０において、コンテキスト＃Ａを要求するために、基地局＃Ｂは、ＭＭＥに要求メッセージ＃Ｂを送信することができる。
【０１５８】
ＭＭＥは、要求メッセージ＃Ｂに基づいて、当該コンテキスト＃Ａをサーチし、サーチして得られたコンテキスト＃Ａを基地局＃Ｂに送信することができる。
【０１５９】
選択肢として、ＭＭＥは、基地局＃Ｂに指示情報＃２（例えば、指示情報＃２がコンテキスト＃Ａと共にメッセージに含まれても良い）を送信することができる。
【０１６０】
また、選択肢として、Ｓ５４０において、基地局＃Ｂは、当該指示情報＃２に基づいて、当該基地局＃Ｂが時間帯＃Ａの前に最後の１回に当該端末デバイス＃Ａとデータ伝送を行う基地局であるか否かを確定することができる。
【０１６１】
Ｓ５４０において判定結果が「いいえ」である場合、Ｓ５５０を実施し、Ｓ５５０において、基地局＃Ｂは、ＭＭＥからの当該コンテキスト＃Ａを受信することができる。
【０１６２】
Ｓ５４０において判定結果が「はい」である場合、Ｓ５３５を実施する。
【０１６３】
Ｓ５６０において、基地局＃Ｂは、当該コンテキスト＃Ａに基づいて、端末デバイス＃Ａにデータを伝送する。
【０１６４】
選択肢として、Ｓ５７０において、基地局＃Ｂは、コンテキスト＃Ａを更新することができ、更新後のコンテキスト＃ＡをＭＭＥに送信する。
【０１６５】
なお、本発明の実施例において、ネットワークデバイスとＭＭＥとの間で伝送されるコンテキスト情報は、透過的なコンテナ（Ｔｒａｎｓｐａｒｅｎｔ  Ｃｏｎｔａｉｎｅｒ）にベアリングされても良く、その他の任意の方式で伝送されても良く、本発明は特に限定しない。
【０１６６】
本発明の実施例による無線通信方法は、第２のネットワークデバイスが端末デバイスのコンテキスト情報を生成又は更新した後に、当該端末デバイスのコンテキスト情報を管理デバイスに送信し、それによって第１のネットワークデバイスが、管理デバイスから当該端末デバイスのコンテキスト情報を取得し、当該端末デバイスのコンテキスト情報に基づいて、当該端末デバイスのコンテキスト情報を使用して、当該端末デバイスのために無線ベアラを確立又は復元し、当該端末デバイスに通信サービスを提供することができ、即ち、端末デバイスが第２のネットワークデバイスから第１のネットワークデバイスにハンドオーバーしようとする時に、第１のネットワークデバイスと第２のネットワークデバイスとの間のシグナリングのインタラクションを必要とせず、伝送リソースとシグナリングとのオーバーヘッドを低減し、ネットワーク構築のコストを削減することができる。
【０１６７】
図６には、管理デバイスを視点として説明する本発明の実施例における無線通信方法６００の概略的なフローチャートを示している。図６に示すように、当該方法６００は、Ｓ６１０〜Ｓ６３０を含む。
【０１６８】
Ｓ６１０において、管理デバイスは、第２のネットワークデバイスより送信された端末デバイスのコンテキスト情報を受信し、当該第２のネットワークデバイスが、第１の時間帯の前に最後の一つの、当該端末デバイスのコンテキスト情報を生成又は更新するネットワークデバイスである。
【０１６９】
Ｓ６２０において、当該管理デバイスは、第１のネットワークデバイスより送信された第２の要求メッセージを受信し、当該第２の要求メッセージが、当該第１のネットワークデバイスに当該端末デバイスのコンテキスト情報を送信するように当該管理デバイスに要求するために用いられ、当該第２の要求メッセージが、当該第１のネットワークデバイスが当該第１の時間帯において受信された端末デバイスより送信された第１の要求メッセージに基づいて送信されたものであり、当該第１の要求メッセージが、当該端末デバイスのために無線ベアラを確立、又は復元するように当該第１のネットワークデバイスに要求するために用いられる。
【０１７０】
Ｓ６３０において、当該管理デバイスは、当該第２の要求メッセージに基づいて、当該第１のネットワークデバイスに当該端末デバイスのコンテキスト情報を送信する。
【０１７１】
選択肢として、当該管理デバイスが、第２のネットワークデバイスより送信された端末デバイスのコンテキスト情報を受信することは、
当該管理デバイスは、第２のネットワークデバイスより送信された端末デバイスのコンテキスト情報と当該端末デバイスのデバイス識別子とを受信することと、
当該管理デバイスは、端末デバイスのデバイス識別子と当該端末デバイスのコンテキスト情報とのマッピング関係の指示情報を記憶することと、
を含み、ここで、一つのデバイス識別子が一つの端末デバイスを一意的に示すために用いられる。
【０１７２】
当該管理デバイスが、第１のネットワークデバイスより送信された第２の要求メッセージを受信することは、
当該管理デバイスは、第１のネットワークデバイスより送信された第２の要求メッセージを受信することを含み、当該第２の要求メッセージに当該端末デバイスのデバイス識別子が含まれ、また、
当該管理デバイスが、当該第２の要求メッセージに基づいて、当該第１のネットワークデバイスに当該端末デバイスのコンテキスト情報を送信する前に、当該方法は、
当該管理デバイスは、第２の要求メッセージに含まれる当該端末デバイスのデバイス識別子に基づいて、当該管理デバイスが記憶されている端末デバイスのデバイス識別子と当該端末デバイスのコンテキスト情報とのマッピング関係の指示情報によって、当該端末デバイスのコンテキスト情報を確定することをさらに含む。
【０１７３】
選択肢として、当該管理デバイスは、当該第２の要求メッセージに基づいて、当該第１のネットワークデバイスに当該端末デバイスのコンテキスト情報を送信する前に、当該方法は、
当該管理デバイスは、当該第１のネットワークデバイスに第２の指示情報を送信することをさらに含み、当該第２の指示情報が、当該第２のネットワークデバイスを示すために用いられ、又は、当該第２の指示情報が、当該第２のネットワークデバイスが当該第１のネットワークデバイスと同じであるか否かを示すために用いられる。
【０１７４】
選択肢として、当該方法は、
当該管理デバイスは、当該第１のネットワークデバイスより送信された更新後の当該端末デバイスのコンテキスト情報を受信することをさらに含む。
【０１７５】
当該方法６００における第１のネットワークデバイスの動作は、上記の方法２００における第１のネットワークデバイス（例えば、基地局＃Ｂ）の動作と類似し、当該方法６００における管理デバイスの動作は、上記の方法２００における管理デバイス（例えば、ＭＭＥ）の動作と類似し、当該方法６００における端末デバイスの動作は、上記の方法２００における端末デバイスの動作と類似し、当該方法６００における第２のネットワークデバイスの動作は、上記の方法２００における第２のネットワークデバイス（例えば、基地局＃Ａ）の動作と類似し、ここで、重複を避けるために、詳細説明を省略する。
【０１７６】
本発明の実施例による無線通信方法は、第２のネットワークデバイスが端末デバイスのコンテキスト情報を生成又は更新した後に、当該端末デバイスのコンテキスト情報を管理デバイスに送信し、それによって第１のネットワークデバイスが、管理デバイスから当該端末デバイスのコンテキスト情報を取得し、当該端末デバイスのコンテキスト情報に基づいて、当該端末デバイスのコンテキスト情報を使用して、当該端末デバイスのために無線ベアラを確立又は復元し、当該端末デバイスに通信サービスを提供することができ、即ち、端末デバイスが第２のネットワークデバイスから第１のネットワークデバイスにハンドオーバーしようとする時に、第１のネットワークデバイスと第２のネットワークデバイスとの間のシグナリングのインタラクションを必要とせず、伝送リソースとシグナリングとのオーバーヘッドを低減し、ネットワーク構築のコストを削減することができる。
【０１７７】
図７には、第２のネットワークデバイスを視点として説明する本発明の実施例における無線通信方法７００の概略的なフローチャートを示している。図７に示すように、当該方法７００は、Ｓ７１０〜Ｓ７２０を含む。
【０１７８】
Ｓ７１０において、第２のネットワークデバイスは、端末デバイスのコンテキスト情報を生成又は更新する。
【０１７９】
Ｓ７２０において、当該第２のネットワークデバイスは、管理デバイスに当該端末デバイスのコンテキスト情報を送信する。
【０１８０】
選択肢として、当該第２のネットワークデバイスが、管理デバイスに当該端末デバイスのコンテキスト情報を送信することは、
当該第２のネットワークデバイスは、当該管理デバイスに当該端末デバイスのコンテキスト情報と当該端末デバイスのデバイス識別子とを送信することを含み、ここで、一つのデバイス識別子が一つの端末デバイスを一意的に示すために用いられる。
【０１８１】
当該方法７００における第１のネットワークデバイスの動作は、上記の方法２００における第１のネットワークデバイス（例えば、基地局＃Ｂ）の動作と類似し、当該方法７００における管理デバイスの動作は、上記の方法２００における管理デバイス（例えば、ＭＭＥ）の動作と類似し、当該方法７００における端末デバイスの動作は、上記の方法２００における端末デバイスの動作と類似し、当該方法７００における第２のネットワークデバイスの動作は、上記の方法２００における第２のネットワークデバイス（例えば、基地局＃Ａ）の動作と類似し、ここで、重複を避けるために、詳細説明を省略する。
【０１８２】
本発明の実施例による無線通信方法は、第２のネットワークデバイスが端末デバイスのコンテキスト情報を生成又は更新した後に、当該端末デバイスのコンテキスト情報を管理デバイスに送信し、それによって第１のネットワークデバイスが、管理デバイスから当該端末デバイスのコンテキスト情報を取得し、当該端末デバイスのコンテキスト情報に基づいて、当該端末デバイスのコンテキスト情報を使用して、当該端末デバイスのために無線ベアラを確立又は復元し、当該端末デバイスに通信サービスを提供することができ、即ち、端末デバイスが第２のネットワークデバイスから第１のネットワークデバイスにハンドオーバーしようとする時に、第１のネットワークデバイスと第２のネットワークデバイスとの間のシグナリングのインタラクションを必要とせず、伝送リソースとシグナリングとのオーバーヘッドを低減し、ネットワーク構築のコストを削減することができる。
【０１８３】
図８には、端末デバイスを視点として説明する本発明の実施例における無線通信方法８００の概略的なフローチャートを示している。図８に示すように、当該方法８００はＳ８１０〜Ｓ８２０を含む。
【０１８４】
Ｓ８１０において、当該第１のネットワークデバイスが、当該第１の要求メッセージに基づいて、当該端末デバイスのコンテキスト情報を取得するために、第１の時間帯において、端末デバイスは、第１のネットワークデバイスに第１の要求メッセージを送信し、当該第１の要求メッセージが、当該端末デバイスのために無線ベアラを確立、又は復元するように当該第１のネットワークデバイスに要求するために用いられ、ここで、管理デバイスに当該端末デバイスのコンテキスト情報が記憶されており、当該端末デバイスのコンテキスト情報が、第２のネットワークデバイスにより当該管理デバイスに送信されたものであり、当該第２のネットワークデバイスが、当該第１の時間帯の前に最後の一つの、当該端末デバイスのコンテキスト情報を生成又は更新するネットワークデバイスである。
【０１８５】
選択肢として、当該方法はＳ８２０をさらに含む。
【０１８６】
Ｓ８２０において、当該端末デバイスは、当該第１のネットワークデバイスに第１の指示情報を送信し、当該第１の指示情報が第３のネットワークデバイスを示すために用いられ、又は、当該第１の指示情報が第１のセルを示すために用いられ、又は当該第１の指示情報が、第３のネットワークデバイスが当該第１のネットワークデバイスと同じであるか否かを示すために用いられ、又は当該第１の指示情報が、第１のセルが当該第１のネットワークデバイスの管轄セルに属しているか否かを示すために用いられ、ここで、当該第３のネットワークデバイスが、当該第１の時間帯の前に最後の一つの、当該端末デバイスとデータ伝送を行うネットワークデバイスであり、当該第１のセルが、当該端末デバイスが当該第１の時間帯の前に最後の１回にデータ伝送に使用するセルである。
【０１８７】
当該方法８００における第１のネットワークデバイスの動作は、上記の方法２００における第１のネットワークデバイス（例えば、基地局＃Ｂ）の動作と類似し、当該方法８００における管理デバイスの動作は、上記の方法２００における管理デバイス（例えば、ＭＭＥ）の動作と類似し、当該方法８００における端末デバイスの動作は、上記の方法２００における端末デバイスの動作と類似し、当該方法８００における第２のネットワークデバイスの動作は、上記の方法２００における第２のネットワークデバイス（例えば、基地局＃Ａ）の動作と類似し、ここで、重複を避けるために、詳細説明を省略する。
【０１８８】
本発明の実施例による無線通信方法、第２のネットワークデバイスが端末デバイスのコンテキスト情報を生成又は更新した後に、当該端末デバイスのコンテキスト情報を管理デバイスに送信し、それによって第１のネットワークデバイスが、管理デバイスから当該端末デバイスのコンテキスト情報を取得し、当該端末デバイスのコンテキスト情報に基づいて、当該端末デバイスのコンテキスト情報を使用して、当該端末デバイスのために無線ベアラを確立又は復元し、当該端末デバイスに通信サービスを提供することができ、即ち、端末デバイスが第２のネットワークデバイスから第１のネットワークデバイスにハンドオーバーしようとする時に、第１のネットワークデバイスと第２のネットワークデバイスとの間のシグナリングのインタラクションを必要とせず、伝送リソースとシグナリングとのオーバーヘッドを低減し、ネットワーク構築のコストを削減することができる。
【０１８９】
以上において、図１〜図８を結合し、本発明の実施例による無線通信方法を詳しく説明しており、以下において、図９〜図１２を結合し本発明の実施例による無線通信装置を詳しく説明する。
【０１９０】
図９は、本発明の実施例による無線通信装置９００の概略的な構成図である。図９に示すように、当該装置９００は、通信ユニット９１０、取得ユニット９２０、処理ユニット９３０を含む。
【０１９１】
通信ユニット９１０は、第１の時間帯において、端末デバイスより送信された第１の要求メッセージを受信するように構成され、当該第１の要求メッセージが、当該端末デバイスのために無線ベアラを確立又は復元するように当該装置に要求するために用いられる。
【０１９２】
取得ユニット９２０は、当該第１の要求メッセージに基づいて、当該端末デバイスのコンテキスト情報を取得するために用いられ、ここで、管理デバイスに当該端末デバイスのコンテキスト情報が記憶されており、当該端末デバイスのコンテキスト情報が、第２のネットワークデバイスにより当該管理デバイスに送信されたものであり、当該第２のネットワークデバイスが、当該第１の時間帯の前に最後の一つの、当該端末デバイスのコンテキスト情報を生成又は更新するネットワークデバイスである。
【０１９３】
処理ユニット９３０は、当該端末デバイスのコンテキスト情報に基づいて、当該端末デバイスのために無線ベアラを確立又は復元するように構成される。
【０１９４】
選択肢として、当該第１の要求メッセージは、無線リソース制御（ＲＲＣ）接続復元要求メッセージである。
【０１９５】
選択肢として、当該取得ユニットは、具体的に、当該第１の要求メッセージに基づいて、当該管理デバイスに第２の要求メッセージを送信するように当該通信ユニットを制御するように構成され、当該第２の要求メッセージが、当該装置に当該端末デバイスのコンテキスト情報を送信するように当該管理デバイスに要求するために用いられ、当該管理デバイスより送信された当該端末デバイスのコンテキスト情報を受信するように制御するために用いられる。
【０１９６】
選択肢として、当該管理デバイスに、当該端末デバイスのデバイス識別子と当該端末デバイスのコンテキスト情報とのマッピング関係が記憶されており、ここで、一つのデバイス識別子が一つの端末デバイスを一意的に示すために用いられ、また、当該取得ユニットは、具体的に、当該第１の要求メッセージに基づいて、当該管理デバイスに第２の要求メッセージを送信するように当該通信ユニットを制御するように構成され、当該第２の要求メッセージに当該端末デバイスのデバイス識別子が含まれる。
【０１９７】
選択肢として、当該通信ユニットは、当該端末デバイスより送信された第１の指示情報を受信するようにさらに構成され、当該第１の指示情報が第３のネットワークデバイスを示すために用いられ、又は、当該第１の指示情報が第１のセルを示すために用いられ、又は当該第１の指示情報が第３のネットワークデバイスが当該装置と同じであるか否かを示すために用いられ、又は当該第１の指示情報が、第１のセルが当該装置の管轄セルに属しているか否かを示すために用いられ、ここで、当該第３のネットワークデバイスが、当該第１の時間帯の前に最後の一つの、当該端末デバイスとデータ伝送を行うネットワークデバイスであり、当該第１のセルが、当該端末デバイスが当該第１の時間帯の前に最後の１回にデータ伝送に使用するセルであり、当該取得ユニットは、当該第１の指示情報に基づいて、当該第３のネットワークデバイスが当該装置と異なるネットワークデバイスであることを確定するようにさらに構成され、又は当該取得ユニットは、当該第１の指示情報に基づいて、当該第１のセルが当該装置の管轄セルに属しないことを確定するようにさらに構成される。
【０１９８】
選択肢として、当該通信ユニットは、当該管理デバイスより送信された第２の指示情報を受信するようにさらに構成され、当該第２の指示情報が、当該第２のネットワークデバイスを示すために用いられ、又は、当該第２の指示情報が、当該第２のネットワークデバイスが当該装置と同じであるか否かを示すために用いられ、当該取得ユニットは、当該第２の指示情報に基づいて、当該第２のネットワークデバイスが当該装置と異なるネットワークデバイスであることを確定するようにさらに構成される。
【０１９９】
選択肢として、当該処理ユニットは、第２の時間帯において、当該端末デバイスのコンテキスト情報を生成又は更新するようにさらに構成され、当該第２の時間帯が当該第１の時間帯の前であり、当該装置は、当該端末デバイスのコンテキスト情報を記憶するように構成される記憶ユニット９４０をさらに含む。
【０２００】
選択肢として、当該通信ユニットは、当該端末デバイスより送信された第１の指示情報を受信するようにさらに構成され、当該第１の指示情報が第３のネットワークデバイスを示すために用いられ、又は、当該第１の指示情報が第１のセルを示すために用いられ、又は当該第１の指示情報が第３のネットワークデバイスが当該装置と同じであるか否かを示すために用いられ、又は当該第１の指示情報が、第１のセルが当該装置の管轄セルに属しているか否かを示すために用いられ、ここで、当該第３のネットワークデバイスが、当該第１の時間帯の前に最後の一つの、当該端末デバイスとデータ伝送を行うネットワークデバイスであり、当該第１のセルが、当該端末デバイスが当該第１の時間帯の前に最後の１回にデータ伝送に使用するセルであり、また、当該取得ユニットは、具体的に、当該第１の指示情報に基づいて、当該第３のネットワークデバイスが当該装置と同じネットワークデバイスであると確定した場合、当該記憶ユニットから当該端末デバイスのコンテキスト情報を取得するように構成され、又は当該取得ユニットは、具体的に、当該第１の指示情報に基づいて、当該第１のセルが当該装置の管轄セルに属すると確定した場合、当該記憶ユニットから当該端末デバイスのコンテキスト情報を取得するように構成される。
【０２０１】
選択肢として、管理デバイスに当該端末デバイスのコンテキスト情報が記憶されており、当該端末デバイスのコンテキスト情報が、第２のネットワークデバイスにより当該管理デバイスに送信されたものであり、当該第２のネットワークデバイスが、当該第１の時間帯の前に最後の一つの、当該端末デバイスのコンテキスト情報を生成又は更新するネットワークデバイスであり、また、当該通信ユニットは、当該管理デバイスより送信された第２の指示情報を受信するようにさらに構成され、当該第２の指示情報が、当該第２のネットワークデバイスを示すために用いられ、又は、当該第２の指示情報が、当該第２のネットワークデバイスが当該装置と同じであることを示すために用いられ、当該取得ユニットは、具体的に、当該第２の指示情報に基づいて、当該第２のネットワークデバイスが当該装置と同じネットワークデバイスであることを確定した場合、当該記憶ユニットから当該端末デバイスのコンテキスト情報を取得するように構成される。
【０２０２】
選択肢として、当該処理ユニットは、第３の時間帯において、当該端末デバイスのコンテキスト情報を更新するようにさらに構成され、当該第３の時間帯が当該第１の時間帯の後であり、当該通信ユニットは、管理デバイスに更新後の当該端末デバイスのコンテキスト情報を送信するようにさらに構成される。
【０２０３】
本発明の実施例による無線通信装置９００は、本発明の実施例における方法の第１のネットワークデバイス（例えば、基地局＃Ｂ）に適用することでき、また、無線通信装置９００内の各ユニット、即ちモジュール、上記のその他の操作及び／又は機能のそれぞれは、図２の方法２００の対応するフローを実現するためであり、簡潔上、ここで省略する。
【０２０４】
本発明の実施例による無線通信装置は、第２のネットワークデバイスが端末デバイスのコンテキスト情報を生成又は更新した後に、当該端末デバイスのコンテキスト情報を管理デバイスに送信し、それによって第１のネットワークデバイスが、管理デバイスから当該端末デバイスのコンテキスト情報を取得し、当該端末デバイスのコンテキスト情報に基づいて、当該端末デバイスのコンテキスト情報を使用して、当該端末デバイスのために無線ベアラを確立又は復元し、当該端末デバイスに通信サービスを提供することができ、即ち、端末デバイスが第２のネットワークデバイスから第１のネットワークデバイスにハンドオーバーしようとする時に、第１のネットワークデバイスと第２のネットワークデバイスとの間のシグナリングのインタラクションを必要とせず、伝送リソースとシグナリングとのオーバーヘッドを低減し、ネットワーク構築のコストを削減することができる。
【０２０５】
図１０は、本発明の別の実施例による無線通信装置１０００の概略的な構成図である。図１０に示すように、当該装置１０００は、受信ユニット１０１０、送信ユニット１０２０、記憶ユニット１０３０、確定ユニット１０４０を含む。
【０２０６】
受信ユニット１０１０は、第２のネットワークデバイスより送信された端末デバイスのコンテキスト情報を受信するように構成され、当該第２のネットワークデバイスは、第１の時間帯の前に最後の一つの、当該端末デバイスのコンテキスト情報を生成又は更新するネットワークデバイスである。
【０２０７】
当該受信ユニットは、第１のネットワークデバイスより送信された第２の要求メッセージを受信するようにさらに構成され、当該第２の要求メッセージが、当該第１のネットワークデバイスに当該端末デバイスのコンテキスト情報を送信するように当該装置に要求するために用いられ、当該第２の要求メッセージが、当該第１のネットワークデバイスが当該第１の時間帯において受信された端末デバイスより送信された第１の要求メッセージに基づいて送信されたものであり、当該第１の要求メッセージが、当該端末デバイスのために無線ベアラを確立、又は復元するように当該第１のネットワークデバイスに要求するために用いられる。
【０２０８】
送信ユニット１０２０は、当該第２の要求メッセージに基づいて、当該第１のネットワークデバイスに当該端末デバイスのコンテキスト情報を送信するように構成される。
【０２０９】
選択肢として、当該受信ユニットは、具体的に、第２のネットワークデバイスより送信された端末デバイスのコンテキスト情報と当該端末デバイスのデバイス識別子とを受信するように構成され、ここで、一つのデバイス識別子が一つの端末デバイスを一意的に示すために用いられる。
【０２１０】
当該装置は記憶ユニット１０３０をさらに含み、
記憶ユニット１０３０は、端末デバイスのデバイス識別子と当該端末デバイスのコンテキスト情報とのマッピング関係の指示情報を記憶するように構成され、
当該受信ユニットは、具体的に、第１のネットワークデバイスより送信された第２の要求メッセージを受信するように構成され、当該第２の要求メッセージに当該端末デバイスのデバイス識別子が含まれ、また、
当該装置は、確定ユニット１０４０をさらに含み、
確定ユニット１０４０は、第２の要求メッセージに含まれる当該端末デバイスのデバイス識別子に基づいて、当該装置が記憶する端末デバイスのデバイス識別子と当該端末デバイスのコンテキスト情報とのマッピング関係の指示情報によって、当該端末デバイスのコンテキスト情報を確定するように構成される。
【０２１１】
選択肢として、当該送信ユニットは、当該第１のネットワークデバイスに第２の指示情報を送信するようにさらに構成され、当該第２の指示情報が、当該第２のネットワークデバイスを示すために用いられ、又は、当該第２の指示情報が、当該第２のネットワークデバイスが当該第１のネットワークデバイスと同じであるか否かを示すために用いられる。
【０２１２】
選択肢として、当該受信ユニットは、当該第１のネットワークデバイスより送信された更新後の当該端末デバイスのコンテキスト情報を受信するようにさらに構成される。
【０２１３】
本発明の実施例による無線通信装置１０００は、本発明の実施例における方法の管理デバイス（例えば、ＭＭＥ）に適用することでき、また、無線通信装置１０００内の各ユニット、即ちモジュール、上記のその他の操作及び／又は機能のそれぞれは、図６の方法６００の対応するフローを実現するためであり、簡潔上、ここで省略する。
【０２１４】
本発明の実施例による無線通信装置は、第２のネットワークデバイスが端末デバイスのコンテキスト情報を生成又は更新した後に、当該端末デバイスのコンテキスト情報を管理デバイスに送信し、それによって第１のネットワークデバイスが、管理デバイスから当該端末デバイスのコンテキスト情報を取得し、当該端末デバイスのコンテキスト情報に基づいて、当該端末デバイスのコンテキスト情報を使用して、当該端末デバイスのために無線ベアラを確立又は復元し、当該端末デバイスに通信サービスを提供することができ、即ち、端末デバイスが第２のネットワークデバイスから第１のネットワークデバイスにハンドオーバーしようとする時に、第１のネットワークデバイスと第２のネットワークデバイスとの間のシグナリングのインタラクションを必要とせず、伝送リソースとシグナリングとのオーバーヘッドを低減し、ネットワーク構築のコストを削減することができる。
【０２１５】
図１１は、本発明のさらなる実施例による無線通信装置１１００の概略的な構成図である。図１１に示すように、当該装置１１００は、処理ユニット１１１０と送信ユニット１１２０とを含む。
【０２１６】
処理ユニット１１１０は、当該端末デバイスのコンテキスト情報を生成又は更新するために、端末デバイスとネゴシエーション処理を行うように構成される。
【０２１７】
送信ユニット１１２０は、管理デバイスに当該端末デバイスのコンテキスト情報を送信するように構成される。
【０２１８】
選択肢として、当該送信ユニットは、具体的に、当該管理デバイスに当該端末デバイスのコンテキスト情報と当該端末デバイスのデバイス識別子とを送信するように構成され、ここで、一つのデバイス識別子が一つの端末デバイスを一意的に示すために用いられる。
【０２１９】
本発明の実施例による無線通信装置１１００は、本発明の実施例における方法の第２のネットワークデバイス（例えば、ネットワークデバイス＃Ａに）に対応することができ、また、無線通信装置１１００内の各ユニット、即ちモジュール、上記のその他の操作及び／又は機能のそれぞれは、図７の方法７００の対応するフローを実現するためであり、簡潔上、ここで省略する。
【０２２０】
本発明の実施例による無線通信装置は、第２のネットワークデバイスが端末デバイスのコンテキスト情報を生成又は更新した後に、当該端末デバイスのコンテキスト情報を管理デバイスに送信し、それによって第１のネットワークデバイスが、管理デバイスから当該端末デバイスのコンテキスト情報を取得し、当該端末デバイスのコンテキスト情報に基づいて、当該端末デバイスのコンテキスト情報を使用して、当該端末デバイスのために無線ベアラを確立又は復元し、当該端末デバイスに通信サービスを提供することができ、即ち、端末デバイスが第２のネットワークデバイスから第１のネットワークデバイスにハンドオーバーしようとする時に、第１のネットワークデバイスと第２のネットワークデバイスとの間のシグナリングのインタラクションを必要とせず、伝送リソースとシグナリングとのオーバーヘッドを低減し、ネットワーク構築のコストを削減することができる。
【０２２１】
図１２は、本発明のさらなる実施例による無線通信装置１２００の概略的な構成図である。図１２に示すように、当該装置１２００は、送信ユニット１２１０を含む。
【０２２２】
送信ユニット１２１０は、当該第１のネットワークデバイスが当該第１の要求メッセージに基づいて、当該装置のコンテキスト情報を取得するために、第１の時間帯において、第１のネットワークデバイスに第１の要求メッセージを送信するように構成され、当該第１の要求メッセージが、当該装置のために無線ベアラを確定又は復元するように当該第１のネットワークデバイスに要求するために用いられ、ここで、管理デバイスに当該装置のコンテキスト情報が記憶されており、当該装置のコンテキスト情報が、第２のネットワークデバイスにより当該管理デバイスに送信されたものであり、当該第２のネットワークデバイスが、当該第１の時間帯の前に最後の一つの、当該装置のコンテキスト情報を生成又は更新するネットワークデバイスである。
【０２２３】
選択肢として、当該送信ユニットは、当該第１のネットワークデバイスに第１の指示情報を送信するようにさらに構成され、当該第１の指示情報が第３のネットワークデバイスを示すために用いられ、又は、当該第１の指示情報が第１のセルを示すために用いられ、又は当該第１の指示情報が、第３のネットワークデバイスが当該第１のネットワークデバイスと同じであるか否かを示すために用いられ、又は当該第１の指示情報が、第１のセルが当該第１のネットワークデバイスの管轄セルに属しているか否かを示すために用いられ、ここで、当該第３のネットワークデバイスが、当該第１の時間帯の前に最後の一つの、当該装置とデータ伝送するネットワークデバイスであり、当該第１のセルが、当該装置が当該第１の時間帯の前に最後の１回にデータ伝送するのに使用されるセルである。
【０２２４】
本発明の実施例による無線通信装置１２００は、本発明の実施例における方法の端末デバイス（例えば、端末デバイス＃Ａ）に対応することができ、また、無線通信装置１２００内の各ユニット、即ちモジュール、上記のその他の操作及び／又は機能のそれぞれは、図８の方法８００の対応するフローを実現するためであり、簡潔上、ここで省略する。
【０２２５】
本発明の実施例による無線通信装置は、第２のネットワークデバイスが端末デバイスのコンテキスト情報を生成又は更新した後に、当該端末デバイスのコンテキスト情報を管理デバイスに送信し、それによって第１のネットワークデバイスが、管理デバイスから当該端末デバイスのコンテキスト情報を取得し、当該端末デバイスのコンテキスト情報に基づいて、当該端末デバイスのコンテキスト情報を使用して、当該端末デバイスのために無線ベアラを確立又は復元し、当該端末デバイスに通信サービスを提供することができ、即ち、端末デバイスが第２のネットワークデバイスから第１のネットワークデバイスにハンドオーバーしようとする時に、第１のネットワークデバイスと第２のネットワークデバイスとの間のシグナリングのインタラクションを必要とせず、伝送リソースとシグナリングとのオーバーヘッドを低減し、ネットワーク構築のコストを削減することができる。
【０２２６】
以上、図１〜図８を結合して、本発明の実施例による無線通信方法を詳しく説明しており、以下において、図１３と図１６を結合して、本発明の実施例による無線通信デバイスを詳しく説明する。
【０２２７】
図１３は、本発明の実施例による無線通信デバイス１３００の概略的な構成図である。図１３に示すように、当該デバイス１３００は、プロセッサ１３１０と送受信装置１３２０とを含み、プロセッサ１３１０が送受信装置１３２０に接続され、選択肢として、当該デバイス１３００は、記憶装置１３３０をさらに含み、記憶装置１３３０がプロセッサ１３１０に接続され、さらに、選択肢として、当該デバイス１３００は、バスシステム１３４０を含む。ここで、プロセッサ１３１０、記憶装置１３３０、及び送受信装置１３２０は、バスシステム１３４０によって接続され、当該記憶装置１３３０は、命令を記憶するように構成されることができ、当該プロセッサ１３１０は、情報又は信号を送信するように送受信装置１３２０を制御するために、当該記憶装置１３３０に記憶される命令を実行するように構成される。
【０２２８】
当該プロセッサ１３１０は、第１の時間帯において、端末デバイスより送信された第１の要求メッセージを受信するように送受信装置１３２０を制御するように構成され、当該第１の要求メッセージが、当該端末デバイスのために無線ベアラを確立又は復元するように当該デバイス１３００に要求するために用いられる。
【０２２９】
当該プロセッサ１３１０は、当該第１の要求メッセージに基づいて、当該端末デバイスのコンテキスト情報を取得するように構成され、ここで、管理デバイスに当該端末デバイスのコンテキスト情報が記憶されており、当該端末デバイスのコンテキスト情報が、第２のネットワークデバイスにより当該管理デバイスに送信されたものであり、当該第２のネットワークデバイスが、当該第１の時間帯の前に最後の一つの、当該端末デバイスのコンテキスト情報を生成又は更新するネットワークデバイスである。
【０２３０】
当該プロセッサ１３１０は、当該端末デバイスのコンテキスト情報に基づいて、当該端末デバイスのために無線ベアラを確立又は復元するように構成される。
【０２３１】
選択肢として、当該第１の要求メッセージは、無線リソース制御（ＲＲＣ）接続復元要求メッセージである。
【０２３２】
選択肢として、当該プロセッサ１３１０は、当該第１の要求メッセージに基づいて、当該管理デバイスに第２の要求メッセージを送信するように送受信装置１３２０を制御するように構成され、当該第２の要求メッセージが、デバイス１３００に当該端末デバイスのコンテキスト情報を送信するように当該管理デバイスに要求するために用いられる。
【０２３３】
当該プロセッサ１３１０は、当該管理デバイスより送信された当該端末デバイスのコンテキスト情報を受信するように送受信装置１３２０を制御するように構成される。
【０２３４】
選択肢として、当該管理デバイスに、当該端末デバイスのデバイス識別子と当該端末デバイスのコンテキスト情報とのマッピング関係が記憶されており、ここで、一つのデバイス識別子が一つの端末デバイスを一意的に示すために用いられ、また、
当該プロセッサ１３１０は、具体的に、当該管理デバイスに第２の要求メッセージを送信するように送受信装置１３２０を制御するように構成され、当該第２の要求メッセージに当該端末デバイスのデバイス識別子が含まれる。
【０２３５】
選択肢として、当該プロセッサ１３１０は、当該端末デバイスより送信された第１の指示情報を受信するように送受信装置１３２０を制御するようにさらに構成され、当該第１の指示情報が第３のネットワークデバイスを示すために用いられ、又は、当該第１の指示情報が第１のセルを示すために用いられ、又は当該第１の指示情報が、第３のネットワークデバイスが当該デバイス１３００と同じであるか否かを示すために用いられ、又は当該第１の指示情報が、第１のセルが当該デバイス１３００の管轄セルに属するか否かを示すために用いられ、ここで、当該第３のネットワークデバイスが、当該第１の時間帯の前に最後の一つの、当該端末デバイスとデータ伝送を行うネットワークデバイスであり、当該第１のセルが、当該端末デバイスが当該第１の時間帯の前に最後の１回にデータ伝送に使用するセルである。
【０２３６】
当該プロセッサ１３１０は、当該第１の指示情報に基づいて、当該第３のネットワークデバイスが当該デバイス１３００と異なるネットワークデバイスであることを確定するようにさらに構成され、又は
当該プロセッサ１３１０は、当該第１の指示情報に基づいて、当該第１のセルが当該デバイス１３００の管轄セルに属していないことを確定するようにさらに構成される。
【０２３７】
選択肢として、当該プロセッサ１３１０は、当該管理デバイスより送信された第２の指示情報を受信するように送受信装置１３２０を制御するようにさらに構成され、当該第２の指示情報が、当該第２のネットワークデバイスを示すために用いられ、又は、当該第２の指示情報が、当該第２のネットワークデバイスが当該デバイス１３００と同じであるか否かを示すために用いられる。
【０２３８】
当該プロセッサ１３１０は、当該第２の指示情報に基づいて、当該第２のネットワークデバイスが当該デバイス１３００と異なるネットワークデバイスを確定するようにさらに構成される。
【０２３９】
選択肢として、当該プロセッサ１３１０は、第２の時間帯において、当該端末デバイスのコンテキスト情報を生成又は更新するようにさらに構成され、当該第２の時間帯が当該第１の時間帯の前である。
【０２４０】
当該プロセッサ１３１０は、当該端末デバイスのコンテキスト情報を記憶するようにさらに構成される。
【０２４１】
選択肢として、当該プロセッサ１３１０は、当該端末デバイスより送信された第１の指示情報を受信するように送受信装置１３２０を制御するようにさらに構成され、当該第１の指示情報が第３のネットワークデバイスを示すために用いられ、又は、当該第１の指示情報が第１のセルを示すために用いられ、又は当該第１の指示情報が、第３のネットワークデバイスが当該デバイス１３００と同じであるか否かを示すために用いられ、又は当該第１の指示情報が、第１のセルが当該デバイス１３００の管轄セルに属しているか否かを示すために用いられ、ここで、当該第３のネットワークデバイスが、当該第１の時間帯の前に最後の一つの、当該端末デバイスとデータ伝送を行うネットワークデバイスであり、当該第１のセルが、当該端末デバイスが当該第１の時間帯の前に最後の１回にデータ伝送に使用するセルであり、また、
当該プロセッサ１３１０は、当該第１の指示情報に基づいて、当該第３のネットワークデバイスが当該デバイス１３００と同じネットワークデバイスであることを確定した場合、当該デバイス１３００に記憶される当該端末デバイスのコンテキスト情報を取得するようにさらに構成され、又は
当該プロセッサ１３１０は、当該第１の指示情報に基づいて、当該第１のセルが当該デバイス１３００の管轄セルに属していることを確定した場合、当該デバイス１３００に記憶される当該端末デバイスのコンテキスト情報を取得するようにさらに構成される。
【０２４２】
選択肢として、管理デバイスに当該端末デバイスのコンテキスト情報が記憶されており、当該端末デバイスのコンテキスト情報が、第２のネットワークデバイスにより当該管理デバイスに送信されたものであり、当該第２のネットワークデバイスが、当該第１の時間帯の前に最後の一つの、当該端末デバイスのコンテキスト情報を生成又は更新するネットワークデバイスであり、また、
当該プロセッサ１３１０は、当該管理デバイスより送信された第２の指示情報を受信するように送受信装置１３２０を制御するようにさらに構成され、当該第２の指示情報が、当該第２のネットワークデバイスを示すために用いられ、又は、当該第２の指示情報が、当該第２のネットワークデバイスが当該デバイス１３００と同じであるか否かを示すために用いられる。
【０２４３】
当該プロセッサ１３１０は、当該第２の指示情報に基づいて、当該第２のネットワークデバイスが当該デバイス１３００と同じネットワークデバイスであることを確定した場合、当該デバイス１３００に記憶される当該端末デバイスのコンテキスト情報を取得するように構成される。
【０２４４】
選択肢として、当該プロセッサ１３１０は、第３の時間帯において、当該端末デバイスのコンテキスト情報を更新するようにさらに構成され、当該第３の時間帯が当該第１の時間帯の後である。
【０２４５】
当該プロセッサ１３１０は、管理デバイスに更新後の当該端末デバイスのコンテキスト情報を送信するように送受信装置１３２０を制御するようにさらに構成される。
【０２４６】
本発明の実施例による無線通信デバイス１３００は、本発明の実施例における方法の第１のネットワークデバイス（例えば、基地局＃Ｂ）に対応することができ、また、無線通信デバイス１３００内の各ユニット、即ちモジュール、上記のその他の操作及び／又は機能のそれぞれは、図２の方法２００の対応するフローを実現するためであり、簡潔上、ここで省略する。
【０２４７】
本発明の実施例による無線通信デバイスは、第２のネットワークデバイスが端末デバイスのコンテキスト情報を生成又は更新した後に、当該端末デバイスのコンテキスト情報を管理デバイスに送信し、それによって第１のネットワークデバイスが、管理デバイスから当該端末デバイスのコンテキスト情報を取得し、当該端末デバイスのコンテキスト情報に基づいて、当該端末デバイスのコンテキスト情報を使用して、当該端末デバイスのために無線ベアラを確立又は復元し、当該端末デバイスに通信サービスを提供することができ、即ち、端末デバイスが第２のネットワークデバイスから第１のネットワークデバイスにハンドオーバーしようとする時に、第１のネットワークデバイスと第２のネットワークデバイスとの間のシグナリングのインタラクションを必要とせず、伝送リソースとシグナリングとのオーバーヘッドを低減し、ネットワーク構築のコストを削減することができる。
【０２４８】
図１４は、本発明の別の実施例による無線通信デバイス１４００の概略的な構成図である。図１４に示すように、当該デバイス１４００は、プロセッサ１４１０と送受信装置１４２０とを含み、プロセッサ１４１０が送受信装置１４２０と接続され、選択肢として、当該デバイス１４００は、記憶装置１４３０をさらに含み、記憶装置１４３０がプロセッサ１４１０と接続され、さらに、選択肢として、当該デバイス１４００はバスシステム１４４０を含む。ここで、プロセッサ１４１０、記憶装置１４３０と送受信装置１４２０とはバスシステム１４４０によって接続されることができ、当該記憶装置１４３０命令を記憶するように構成されることができ、情報又は信号を送信するように送受信装置１４２０を制御するために、当該プロセッサ１４１０は、当該記憶装置１４３０に記憶される命令を実行するように構成される。
【０２４９】
プロセッサ１４１０は、第２のネットワークデバイスより送信された端末デバイスのコンテキスト情報を受信するように送受信装置１４２０を制御するように構成され、当該第２のネットワークデバイスが、第１の時間帯の前に最後の一つの、当該端末デバイスのコンテキスト情報を生成又は更新するネットワークデバイスである。
【０２５０】
プロセッサ１４１０は、第１のネットワークデバイスより送信された第２の要求メッセージを受信するように送受信装置１４２０を制御するように構成され、当該第２の要求メッセージが、当該第１のネットワークデバイスに当該端末デバイスのコンテキスト情報を送信するように当該デバイス１４００に要求するために用いられ、当該第２の要求メッセージが、当該第１のネットワークデバイスが当該第１の時間帯において受信された端末デバイスより送信された第１の要求メッセージに基づいて送信されたものであり、当該第１の要求メッセージが、当該端末デバイスのために無線ベアラを確立、又は復元するように当該第１のネットワークデバイスに要求するために用いられる。
【０２５１】
プロセッサ１４１０は、当該第２の要求メッセージに基づいて、当該第１のネットワークデバイスに当該端末デバイスのコンテキスト情報を送信するように送受信装置１４２０を制御するように構成される。
【０２５２】
選択肢として、プロセッサ１４１０は、具体的に、第２のネットワークデバイスより送信された端末デバイスのコンテキスト情報と当該端末デバイスのデバイス識別子とを受信するように送受信装置１４２０を制御するように構成され、ここで、一つのデバイス識別子が一つの端末デバイスを一意的に示すために用いられる。
【０２５３】
プロセッサ１４１０は、具体的に、当該記憶装置１４３０に端末デバイスのデバイス識別子と当該端末デバイスのコンテキスト情報とのマッピング関係の指示情報を記憶するように構成される。
【０２５４】
プロセッサ１４１０は、具体的に、第１のネットワークデバイスより送信された第２の要求メッセージを受信するように送受信装置１４２０を制御するように構成され、当該第２の要求メッセージに当該端末デバイスのデバイス識別子が含まれ、また、
プロセッサ１４１０は、具体的に、第２の要求メッセージに含まれる当該端末デバイスのデバイス識別子に基づいて、当該記憶装置１４３０に記憶される端末デバイスのデバイス識別子と当該端末デバイスのコンテキスト情報とのマッピング関係の指示情報によって、当該端末デバイスのコンテキスト情報を確定するように構成される。
【０２５５】
選択肢として、プロセッサ１４１０は、当該第１のネットワークデバイスに第２の指示情報を送信するように送受信装置１４２０を制御するように構成され、当該第２の指示情報が、当該第２のネットワークデバイスを示すために用いられ、又は、当該第２の指示情報が、当該第２のネットワークデバイスが当該第１のネットワークデバイスと同じであるか否かを示すために用いられる。
【０２５６】
選択肢として、プロセッサ１４１０は、当該第１のネットワークデバイスより送信された更新後の当該端末デバイスのコンテキスト情報を受信するように送受信装置１４２０を制御するようにさらに構成される。
【０２５７】
本発明の実施例による無線通信デバイス１４００は、本発明の実施例における方法の管理デバイス（例えば、ＭＭＥ）に対応することができ、また、無線通信デバイス１４００内の各ユニット、即ちモジュール、上記のその他の操作及び／又は機能のそれぞれは、図６の方法６００の対応するフローを実現するためであり、簡潔上、ここで省略する。
【０２５８】
本発明の実施例による無線通信デバイスは、第２のネットワークデバイスが端末デバイスのコンテキスト情報を生成又は更新した後に、当該端末デバイスのコンテキスト情報を管理デバイスに送信し、それによって第１のネットワークデバイスが、管理デバイスから当該端末デバイスのコンテキスト情報を取得し、当該端末デバイスのコンテキスト情報に基づいて、当該端末デバイスのコンテキスト情報を使用して、当該端末デバイスのために無線ベアラを確立又は復元し、当該端末デバイスに通信サービスを提供することができ、即ち、端末デバイスが第２のネットワークデバイスから第１のネットワークデバイスにハンドオーバーしようとする時に、第１のネットワークデバイスと第２のネットワークデバイスとの間のシグナリングのインタラクションを必要とせず、伝送リソースとシグナリングとのオーバーヘッドを低減し、ネットワーク構築のコストを削減することができる。
【０２５９】
図１５は、本発明のさらなる実施例による無線通信デバイス１５００の概略的な構成図である。図１５に示すように、当該デバイス１５００は、プロセッサ１５１０と送受信装置１５２０とを含み、プロセッサ１５１０が送受信装置１５２０と接続され、選択肢として、当該デバイス１５００は、記憶装置１５３０をさらに含み、記憶装置１５３０がプロセッサ１５１０と接続され、さらに、選択肢として、当該デバイス１５００はバスシステム１５４０を含む。ここで、プロセッサ１５１０、記憶装置１５３０と送受信装置１５２０とはバスシステム１５４０によって接続されることができ、当該記憶装置１５３０命令を記憶するように構成されることができ、情報又は信号を送信するように送受信装置１５２０を制御するために、当該プロセッサ１５１０は、当該記憶装置１５３０に記憶される命令を実行するように構成される。
【０２６０】
当該プロセッサ１５１０は、端末デバイスのコンテキスト情報を生成又は更新するように構成される。
【０２６１】
当該プロセッサ１５１０は、管理デバイスに当該端末デバイスのコンテキスト情報を送信するように送受信装置１５２０を制御するように構成される。
【０２６２】
選択肢として、当該プロセッサ１５１０は、具体的に、当該管理デバイスに当該端末デバイスのコンテキスト情報と当該端末デバイスのデバイス識別子とを送信するように送受信装置１５２０を制御するように構成され、ここで、一つのデバイス識別子が一つの端末デバイスを一意的に示すために用いられる。
【０２６３】
本発明の実施例による無線通信デバイス１５００は、本発明の実施例における方法の第２のネットワークデバイス（例えば、ネットワークデバイス＃Ａに）に対応することができ、また、無線通信デバイス１５００内の各ユニット、即ちモジュール、上記のその他の操作及び／又は機能のそれぞれは、図７の方法７００の対応するフローを実現するためであり、簡潔上、ここで省略する。
【０２６４】
本発明の実施例による無線通信デバイスは、第２のネットワークデバイスが端末デバイスのコンテキスト情報を生成又は更新した後に、当該端末デバイスのコンテキスト情報を管理デバイスに送信し、それによって第１のネットワークデバイスが、管理デバイスから当該端末デバイスのコンテキスト情報を取得し、当該端末デバイスのコンテキスト情報に基づいて、当該端末デバイスのコンテキスト情報を使用して、当該端末デバイスのために無線ベアラを確立又は復元し、当該端末デバイスに通信サービスを提供することができ、即ち、端末デバイスが第２のネットワークデバイスから第１のネットワークデバイスにハンドオーバーしようとする時に、第１のネットワークデバイスと第２のネットワークデバイスとの間のシグナリングのインタラクションを必要とせず、伝送リソースとシグナリングとのオーバーヘッドを低減し、ネットワーク構築のコストを削減することができる。
【０２６５】
図１６は、本発明のさらなる実施例による無線通信デバイス１６００の概略的な構成図である。図１６に示すように、当該デバイス１６００は、プロセッサ１６１０と送受信装置１６２０とを含み、プロセッサ１６１０が送受信装置１６２０と接続され、選択肢として、当該デバイス１６００は、記憶装置１６３０をさらに含み、記憶装置１６３０がプロセッサ１６１０と接続され、さらに、選択肢として、当該デバイス１６００はバスシステム１６４０を含む。ここで、プロセッサ１６１０、記憶装置１６３０と送受信装置１６２０とはバスシステム１６４０によって接続されることができ、当該記憶装置１６３０命令を記憶するように構成されることができ、情報又は信号を送信するように送受信装置１６２０を制御するために、当該プロセッサ１６１０は、当該記憶装置１６３０に記憶される命令を実行するように構成される。
【０２６６】
当該プロセッサ１６１０は、当該第１のネットワークデバイスが当該第１の要求メッセージに基づいて、当該デバイス１６００のコンテキスト情報を取得するために、第１の時間帯において、第１のネットワークデバイスに第１の要求メッセージを送信するように送受信装置１６２０を制御するように構成され、当該第１の要求メッセージが、当該デバイス１６００のために無線ベアラを確定又は復元するように当該第１のネットワークデバイスに要求するために用いられ、ここで、管理デバイスに当該デバイス１６００のコンテキスト情報が記憶されており、当該デバイス１６００のコンテキスト情報が、第２のネットワークデバイスにより当該管理デバイスに送信されたものであり、当該第２のネットワークデバイスが、当該第１の時間帯の前に最後の一つの、当該デバイス１６００のコンテキスト情報を生成又は更新するネットワークデバイスである。
【０２６７】
選択肢として、当該プロセッサ１６１０は、当該第１のネットワークデバイスに第１の指示情報を送信するように送受信装置１６２０を制御するようにさらに構成され、当該第１の指示情報が第３のネットワークデバイスを示すために用いられ、又は、当該第１の指示情報が第１のセルを示すために用いられ、又は当該第１の指示情報が、第３のネットワークデバイスが当該第１のネットワークデバイスと同じであるか否かを示すために用いられ、又は当該第１の指示情報が、第１のセルが当該第１のネットワークデバイスの管轄セルに属しているか否かを示すために用いられ、ここで、当該第３のネットワークデバイスが当該第１の時間帯の前に最後の一つの、当該デバイス１６００とデータを伝送するネットワークデバイスであり、当該第１のセルが、当該デバイス１６００が当該第１の時間帯の前に最後の１回にデータ伝送に使用するセルである。
【０２６８】
本発明の実施例による無線通信デバイス１６００は、本発明の実施例における方法の端末デバイス（例えば、端末デバイス＃Ａ）に対応することができ、また、無線通信デバイス１６００内の各ユニット、即ちモジュール、上記のその他の操作及び／又は機能のそれぞれは、図８の方法８００の対応するフローを実現するためであり、簡潔上、ここで省略する。
【０２６９】
本発明の実施例による無線通信デバイスは、第２のネットワークデバイスが端末デバイスのコンテキスト情報を生成又は更新した後に、当該端末デバイスのコンテキスト情報を管理デバイスに送信し、それによって第１のネットワークデバイスが、管理デバイスから当該端末デバイスのコンテキスト情報を取得し、当該端末デバイスのコンテキスト情報に基づいて、当該端末デバイスのコンテキスト情報を使用して、当該端末デバイスのために無線ベアラを確立又は復元し、当該端末デバイスに通信サービスを提供することができ、即ち、端末デバイスが第２のネットワークデバイスから第１のネットワークデバイスにハンドオーバーしようとする時に、第１のネットワークデバイスと第２のネットワークデバイスとの間のシグナリングのインタラクションを必要とせず、伝送リソースとシグナリングとのオーバーヘッドを低減し、ネットワーク構築のコストを削減することができる。
【０２７０】
注意すべきこととして、本発明の上記方法の実施例はプロセッサに適用されてもよく、又はプロセッサによって実現されてもよい。プロセッサは集積回路チップである可能性があり、信号処理能力を備えている。実現過程において、上記方法の実施例における各ステップは、プロセッサにおけるハードウェアの集積論理回路、又はソフトウェア形態の命令により完成されてもよい。上記のプロセッサは汎用プロセッサ、デジタル信号プロセッサ（ＤＳＰ：Ｄｉｇｉｔａｌ  Ｓｉｇｎａｌ  Ｐｒｏｃｅｓｓｏｒ）、専用集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、現場でプログラマブルゲートアレイ（ＦＰＧＡ：Ｆｉｅｌｄ  Ｐｒｏｇｒａｍｍａｂｌｅ  Ｇａｔｅ  Ａｒｒａｙ）、又は他のプログラマブルロジックデバイス、ディスクリートゲート又はトランジスタ論理デバイス、ディスクリートハードウェアコンポーネントであってもよい。本発明の実施例における開示された各方法、ステップ及び論理ブロック図を実現、又は実行することができる。汎用プロセッサはマイクロプロセッサであってもよく、又は該プロセッサはいずれかの通常のプロセッサなどであってもよい。本発明の実施例に開示された方法を結合するステップは、ハードウェア復号プロセッサによって実行して完成され、又は復号プロセッサにおけるハードウェアモジュール及びソフトウェアモジュールの組み合わせによって実行して完成されるように具現することができる。ソフトウェアモジュールは、ランダムアクセスメモリ、フラッシュメモリ、読み取り専用メモリ、プログラマブル読み取り専用メモリ又は電気的消去可能プログラマブルメモリ、レジスタなどの本分野における成熟した記憶媒体に位置してもよい。該記憶媒質はメモリに位置し、プロセッサはメモリにおける情報を読み取り、そのハードウェアと組み合わせて上記方法のステップを完成する。
【０２７１】
本発明の実施例におけるメモリは揮発性記憶装置又は不揮発性記憶装置であってもよく、又は揮発性記憶装置及び不揮発性記憶装置の両者を含むことができることが理解できる。ここで、不揮発性記憶装置は読み取り専用メモリ（ＲＯＭ：Ｒｅａｄ−Ｏｎｌｙ  Ｍｅｍｏｒｙ）、プログラマブル読み取り専用メモリ（ＰＲＯＭ：Ｐｒｏｇｒａｍｍａｂｌｅ  ＲＯＭ）、消去可能プログラマブル読み取り専用メモリ（ＥＰＲＯＭ：Ｅｒａｓａｂｌｅ  ＰＲＯＭ）、電気的消去可能プログラマブル読み取り専用メモリ（ＥＥＰＲＯＭ：Ｅｌｅｃｔｒｉｃａｌｌｙ  ＥＰＲＯＭ）又はフラッシュメモリであってもよい。揮発性記憶装置は外部キャッシュメモリとして機能するランダムアクセスメモリ（ＲＡＭ：Ｒａｎｄｏｍ  Ａｃｃｅｓｓ  Ｍｅｍｏｒｙ）であってもよい。制限的でなく例示的な説明により、多くの形態のＲＡＭは利用可能であり、例えばスタティックランダムアクセスメモリ（ＳＲＡＭ：Ｓｔａｔｉｃ  ＲＡＭ）、動的ランダムアクセスメモリ（ＤＲＡＭ：Ｄｙｎａｍｉｃ  ＲＡＭ）、同期動的ランダムアクセスメモリ（ＳＤＲＡＭ：Ｓｙｎｃｈｒｏｎｏｕｓ  ＤＲＡＭ）、ダブルデータレート同期動的ランダムアクセスメモリ（ＤＤＲＳＤＲＡＭ：Ｄｏｕｂｌｅ  Ｄａｔａ  Ｒａｔｅ  ＳＤＲＡＭ）、強化型同期動的ランダムアクセスメモリ（ＥＳＤＲＡＭ：Ｅｎｈａｎｃｅｄ  ＳＤＲＡＭ）、同期リンク動的ランダムアクセスメモリ（ＳＬＤＲＡＭ：Ｓｙｎｃｈｌｉｎｋ  ＤＲＡＭ）とダイレクトラムバスランダムアクセスメモリ（ＤＲ  ＲＡＭ）である。注意すべきこととして、本明細書に記載のシステムと方法のメモリは、これら、及びいずれかの他の適切なタイプのメモリを含むことを主旨しているが、これらに限定されない。
【０２７２】
本発明の各実施例において、上記の各過程の番号は実施の前後順序と意味せず、各過程の実施順序は、その機能と自身のロジックによって確定されるべきであり、本発明の実施例の実施過程を制限するものになるわけではない、理解すべきである。
【０２７３】
本願に開示されている実施例に説明されている各例示的なユニット及びアルゴリズムのステップを結合し、電子ハードウェア、又はコンピュータソフトウェアと電子ハードウェアの結合を用いて実現することができると、当業者であれば理解できる。これらの機能がハードウェアの形式かそれともソフトウェアの形式で実施するかについては、技術案の特定応用と設計制約によるものである。当業者は、各特定応用に応じて異なる方法を用いて、説明されている機能を実現することができるが、このような実現は本発明の範囲を超えていると見なすべきではない。
【０２７４】
当業者は、説明の便利と簡潔上、上記に記載されているシステム、装置及びユニットの具体的な動作については、上記の方法実施例の対応されているフローを参照することができ、ここでそれ以上述べない。
【０２７５】
本願に提供されている幾つかの実施例において、開示されているシステム、装置及び方法は、その他の方式で実現されても良い。例えば、上記に記載されている装置の実施例は単なる例示的なものに過ぎず、例えば、前記ユニットの分け方が、単なるロジック的な機能分けであり、実際、実現する時に他の分け方があっても良く、例えば、複数のユニット又はコンポーネントを別のシステムへ統合、又は集成しても良く、又は幾つかの技術特徴を省略、又は実施しなくても良い。また、明示され、又は議論されている各構成部分の互い的なカップリング、又は直接のカップリング、又は通信接続は、幾つかのインターフェース、装置、又はユニットの間接のカップリング又は通信によって接続されても良く、電気的、機械的、又はその他の形式であっても良い。
【０２７６】
上記で分離コンポーネントとして説明したユニットは、物理的に分離されるものであっても良く、そうではないものであっても良い。ユニットとして示されるコンポーネントは物理ユニットであっても良く、そうではないものであっても良い。一箇所に配置されても良く、複数のネットワークユニットに配布しても良い。実際のニーズに応じて、その中の一部又は全部のユニットを選択して本実施例の技術案の目的を実現しても良い。
【０２７７】
また、本発明の各実施例における各機能ユニットは、一つの処理ユニットに統合しても良く、各ユニットはそれぞれ単独なユニットとしても良く、二つ又は二つ以上のユニットを一つのユニットに統合しても良い。
【０２７８】
前記機能は、ソフトウェア機能ユニットの方式で実現し、しかも独立な製品として販売又は使用する場合、コンピュータ読み取り可能の記憶媒体に記憶しても良い。これによって、本発明の技術案が事実上、言い換えれば先行技術に貢献した部分がソフトウェア製品の形で具現でき、該コンピュータソフトウェア製品は記憶媒体に記憶され、コンピュータ装置（パソコン、サーバ、またはネットワーク装置などであっても良い）に本発明の各実施例の全部または一部の前記方法を実行させための複数の命令を含む。上記の記憶媒体は、ＵＳＢメモリ、移動記憶媒体、読み取り専用メモリ（ＲＯＭ：Ｒｅａｄ−Ｏｎｌｙ  Ｍｅｍｏｒｙ）、ランダムアクセス記憶装置（ＲＡＭ：Ｒａｎｄｏｍ  Ａｃｃｅｓｓ  Ｍｅｍｏｒｙ）、磁気ディスク又はコンパクトディスクなどの各種のプログラムコードが記憶できる媒体を含む。
【０２７９】
上記に記載されているのは、単なる本発明の具体的な実施形態に過ぎず、本発明はそれに限らず、当業者が本発明に開示されている範囲内において、容易に想到し得る変形又は入れ替えは、全て本発明の範囲内に含まれるべきである。そのため、本発明の範囲は、記載されている特許請求の範囲に準じるべきである。
【図１】
2019512903.tif 000003
【図２】
2019512903.tif 000004
【図３】
2019512903.tif 000005
【図４】
2019512903.tif 000006
【図５】
2019512903.tif 000007
【図６】
2019512903.tif 000008
【図７】
2019512903.tif 000009
【図８】
2019512903.tif 000010
【図９】
2019512903.tif 000011
【図１０】
2019512903.tif 000012
【図１１】
2019512903.tif 000013
【図１２】
2019512903.tif 000014
【図１３】
2019512903.tif 000015
【図１４】
2019512903.tif 000016
【図１５】
2019512903.tif 000017
【図１６】
2019512903.tif 000018
【手続補正書】
【提出日】平成30年10月3日(2018.10.3)
【手続補正１】
【補正対象書類名】特許請求の範囲
【補正対象項目名】全文
【補正方法】変更
【補正の内容】
【特許請求の範囲】
【請求項１】
無線通信方法であって、
第１の時間帯において、第１のネットワークデバイスは、端末デバイスより送信された第１の要求メッセージを受信することと、
前記第１のネットワークデバイスは、前記第１の要求メッセージに基づいて、前記端末デバイスのコンテキスト情報を取得することと、
前記第１のネットワークデバイスは、前記端末デバイスのコンテキスト情報に基づいて、前記端末デバイスのために無線ベアラを確立又は復元することと、
を含み、
前記第１の要求メッセージが、前記端末デバイスのために無線ベアラを確立、又は復元するように前記第１のネットワークデバイスに要求するために用いられ、
ここで、管理デバイスに前記端末デバイスのコンテキスト情報が記憶されており、前記端末デバイスのコンテキスト情報が第２のネットワークデバイスにより前記管理デバイスに送信されるものであり、前記第２のネットワークデバイスが、前記第１の時間帯の前に最後の一つの、前記端末デバイスのコンテキスト情報を生成又は更新するネットワークデバイスである、
ことを特徴とする無線通信方法。
【請求項２】
前記第１の要求メッセージは、無線リソース制御（ＲＲＣ）接続復元要求メッセージである、
ことを特徴とする請求項１に記載の無線通信方法。
【請求項３】
前記第１のネットワークデバイスが、前記第１の要求メッセージに基づいて、前記端末デバイスのコンテキスト情報を取得することは、
前記第１のネットワークデバイスは、前記第１の要求メッセージに基づいて、前記管理デバイスに第２の要求メッセージを送信することと、
前記第１のネットワークデバイスは、前記管理デバイスより送信される前記端末デバイスのコンテキスト情報を受信することと、
を含み、
前記第２の要求メッセージが、前記第１のネットワークデバイスに前記端末デバイスのコンテキスト情報を送信するように前記管理デバイスに要求するために用いられる、
ことを特徴とする請求項１又は２に記載の無線通信方法。
【請求項４】
前記管理デバイスに、前記端末デバイスのデバイス識別子と前記端末デバイスのコンテキスト情報とのマッピング関係が記憶されており、ここで、一つのデバイス識別子が一つの端末デバイスを一意的に示すために用いられ、
前記第１のネットワークデバイスが、前記第１の要求メッセージに基づいて、管理デバイスに第２の要求メッセージを送信することは、
前記第１のネットワークデバイスは、前記第１の要求メッセージに基づいて、前記管理デバイスに第２の要求メッセージを送信することを含み、前記第２の要求メッセージに前記端末デバイスのデバイス識別子が含まれる、
ことを特徴とする請求項３に記載の無線通信方法。
【請求項５】
前記第１のネットワークデバイスが、前記第１の要求メッセージに基づいて、管理デバイスに第２の要求メッセージを送信する前に、前記無線通信方法は、
前記第１のネットワークデバイスは、前記端末デバイスより送信された第１の指示情報を受信することと、
前記第１のネットワークデバイスは、前記第１の指示情報に基づいて、第３のネットワークデバイスが前記第１のネットワークデバイスと異なるネットワークデバイスであることを確定することと、又は、
前記第１のネットワークデバイスは、前記第１の指示情報に基づいて、第１のセルが前記第１のネットワークデバイスの管轄セルではないことを確定することと、
をさらに含み、
前記第１の指示情報が前記第３のネットワークデバイスを示すために用いられ、又は、前記第１の指示情報が前記第１のセルを示すために用いられ、又は、前記第１の指示情報が、前記第３のネットワークデバイスが前記第１のネットワークデバイスと同じであるか否かを示すために用いられ、又は、前記第１の指示情報が、前記第１のセルが前記第１のネットワークデバイスの管轄セルに属しているか否かを示すために用いられ、ここで、前記第３のネットワークデバイスが、前記第１の時間帯の前に最後の一つの、前記端末デバイスとデータ伝送を行うネットワークデバイスであり、前記第１のセルが、前記端末デバイスが前記第１の時間帯の前に最後の１回にデータ伝送に使用するセルである、
ことを特徴とする請求項３又は４に記載の無線通信方法。
【請求項６】
前記第１のネットワークデバイスが、前記管理デバイスより送信される前記端末デバイスのコンテキスト情報を受信する前に、前記方法は、
前記第１のネットワークデバイスは、前記管理デバイスより送信された第２の指示情報を受信することと、
前記第１のネットワークデバイスは、前記第２の指示情報に基づいて、前記第２のネットワークデバイスが前記第１のネットワークデバイスと異なるネットワークデバイスであることを確定することと、
を含み、
前記第２の指示情報が、前記第２のネットワークデバイスを示すために用いられ、又は、前記第２の指示情報が、前記第２のネットワークデバイスが前記第１のネットワークデバイスと同じであるか否かを示すために用いられる、
ことを特徴とする請求項３乃至５のいずれか１項に記載の無線通信方法。
【請求項７】
第２の時間帯において、前記第１のネットワークデバイスは、前記端末デバイスのコンテキスト情報を生成又は更新し、前記第２の時間帯が前記第１の時間帯の前であり、
前記第１のネットワークデバイスは、前記端末デバイスのコンテキスト情報を記憶する、
ことを特徴とする請求項１又は２に記載の無線通信方法。
【請求項８】
前記第１のネットワークデバイスは、前記端末デバイスより送信された第１の指示情報を受信することをさらに含み、
前記第１の指示情報が第３のネットワークデバイスを示すために用いられ、又は、前記第１の指示情報が第１のセルを示すために用いられ、又は、前記第１の指示情報が、第３のネットワークデバイスが前記第１のネットワークデバイスと同じであるか否かを示すために用いられ、又は、前記第１の指示情報が、第１のセルが前記第１のネットワークデバイスの管轄セルに属しているか否かを示すために用いられ、ここで、前記第３のネットワークデバイスが、前記第１の時間帯の前に最後の一つの、前記端末デバイスとデータ伝送を行うネットワークデバイスであり、前記第１のセルが、前記端末デバイスが前記第１の時間帯の前に最後の１回にデータ伝送に使用するセルであり、
前記第１のネットワークデバイスが、前記第１の要求メッセージに基づいて、前記端末デバイスのコンテキスト情報を取得することは、
前記第１のネットワークデバイスが、前記第１の指示情報に基づいて、前記第３のネットワークデバイスが前記第１のネットワークデバイスと同じネットワークデバイスであることを確定した場合、前記第１のネットワークデバイスに記憶された前記端末デバイスのコンテキスト情報を取得すること、又は、
前記第１のネットワークデバイスは、前記第１の指示情報に基づいて、前記第１のセルが前記第１のネットワークデバイスの管轄セルに属していることを確定した場合、前記第１のネットワークデバイスに記憶された前記端末デバイスのコンテキスト情報を取得すること、を含む、
ことを特徴とする請求項７に記載の無線通信方法。
【請求項９】
管理デバイスに前記端末デバイスのコンテキスト情報が記憶されており、前記端末デバイスのコンテキスト情報が第２のネットワークデバイスにより前記管理デバイスに送信されるものであり、前記第２のネットワークデバイスが、前記第１の時間帯の前に最後の一つの、前記端末デバイスのコンテキスト情報を生成又は更新するネットワークデバイスであり、
前記第１のネットワークデバイスは、前記第１の要求メッセージに基づいて、前記端末デバイスのコンテキスト情報を取得することは、
前記第１のネットワークデバイスは、前記管理デバイスより送信された第２の指示情報を受信することと、
前記第１のネットワークデバイスは、前記第２の指示情報に基づいて、前記第２のネットワークデバイスが前記第１のネットワークデバイスと同じネットワークデバイスであることを確定した場合、前記第１のネットワークデバイスに記憶された前記端末デバイスのコンテキスト情報を取得することと、
を含み、
前記第２の指示情報が、前記第２のネットワークデバイスを示すために用いられ、又は、前記第２の指示情報が、前記第２のネットワークデバイスが前記第１のネットワークデバイスと同じであるか否かを示すために用いられる、
ことを特徴とする請求項７又は８に記載の無線通信方法。
【請求項１０】
第３の時間帯において、前記第１のネットワークデバイスは、前記端末デバイスのコンテキスト情報を更新することと、
前記第１のネットワークデバイスは、管理デバイスに更新後の前記端末デバイスのコンテキスト情報を送信することと、
をさらに含み、
前記第３の時間帯が前記第１の時間帯の後である、
ことを特徴とする請求項１乃至９のいずれか１項に記載の無線通信方法。
【請求項１１】
無線通信方法であって、
第１のネットワークデバイスが、第１の要求メッセージに基づいて、端末デバイスのコンテキスト情報を取得することができるように、第１の時間帯において、前記端末デバイスは前記第１のネットワークデバイスに前記第１の要求メッセージを送信すること、を含み、
前記第１の要求メッセージが、前記端末デバイスのために無線ベアラを確立、又は復元するように前記第１のネットワークデバイスに要求するために用いられ、ここで、管理デバイスに前記端末デバイスのコンテキスト情報が記憶されており、前記端末デバイスのコンテキスト情報が第２のネットワークデバイスにより前記管理デバイスに送信されるものであり、前記第２のネットワークデバイスが、前記第１の時間帯の前に最後の一つの、前記端末デバイスのコンテキスト情報を生成又は更新するネットワークデバイスである、
ことを特徴とする無線通信方法。
【請求項１２】
前記端末デバイスは、前記第１のネットワークデバイスに第１の指示情報を送信することをさらに含み、
前記第１の指示情報が第３のネットワークデバイスを示すために用いられ、又は、前記第１の指示情報が第１のセルを示すために用いられ、又は、前記第１の指示情報が、第３のネットワークデバイスが前記第１のネットワークデバイスと同じであるか否かを示すために用いられ、又は、前記第１の指示情報が、第１のセルが前記第１のネットワークデバイスの管轄セルに属しているか否かを示すために用いられ、ここで、前記第３のネットワークデバイスが、前記第１の時間帯の前に最後の一つの、前記端末デバイスとデータ伝送を行うネットワークデバイスであり、前記第１のセルが、前記端末デバイスが前記第１の時間帯の前に最後の１回にデータ伝送に使用するセルである、
ことを特徴とする請求項１１に記載の無線通信方法。
【請求項１３】
無線通信装置であって、
請求項１乃至１０のいずれか１項に記載の無線通信方法を実現するように構成されるプロセッサと、
前記プロセッサでの実行可能な命令を記憶するように構成されるメモリと、
を含むことを特徴とする前記無線通信装置。
【請求項１４】
無線通信装置であって、
請求項１１又は１２に記載の無線通信方法を実現するように構成されるプロセッサと、
前記プロセッサでの実行可能な命令を記憶するように構成されるメモリと、
を含むことを特徴とする無線通信装置。
【請求項１５】
コンピュータ読み取り可能な媒体であって、
プロセッサによって実行される、請求項１乃至１０のいずれか１項又は、請求項１１又は１２に記載の無線通信方法を実現する命令、を記憶する、
ことを特徴とするコンピュータ読み取り可能な媒体。
【国際調査報告】
2019512903.tif 000019
2019512903.tif 000020
2019512903.tif 000021
2019512903.tif 000022